(57)【特許請求の範囲】
【請求項１】
ダウンリンクパケットを転送プレーンゲートウェイによって受信する段階と、
前記ダウンリンクパケットに従って、第２のページングメッセージを前記転送プレーンゲートウェイによって少なくとも１つの基地局に送信する段階であって、前記第２のページングメッセージは、端末をページングするために使用される、段階と
を備え、
前記ダウンリンクパケットを転送プレーンゲートウェイによって受信する前記段階の前に、更に、
制御プレーンゲートウェイによって送信されたグループエントリ及びＩＰ処理エントリを前記転送プレーンゲートウェイによって受信する段階であって、前記グループエントリは前記ＩＰ処理エントリに対応している、段階と
前記制御プレーンゲートウェイによって送信された第１のページングメッセージを前記転送プレーンゲートウェイによって受信する段階と
を備え、
前記ダウンリンクパケットに従って、第２のページングメッセージを前記転送プレーンゲートウェイによって少なくとも１つの基地局に送信する前記段階は、
前記ダウンリンクパケットの宛先アドレスに従って、前記第２のページングメッセージの宛先アドレスを前記転送プレーンゲートウェイによって決定する段階であって、前記転送プレーンゲートウェイによって、前記ＩＰ処理エントリ及び前記グループエントリに従って、前記第１のページングメッセージを前記第２のページングメッセージに変更する段階を含む、段階と、
前記第２のページングメッセージの前記宛先アドレスに従って、前記第２のページングメッセージを前記少なくとも１つの基地局に送信する段階とを有する、ページング方法。
【請求項２】
ダウンリンクパケットを転送プレーンゲートウェイによって受信する段階と、
前記ダウンリンクパケットに従って、第２のページングメッセージを前記転送プレーンゲートウェイによって少なくとも１つの基地局に送信する段階であって、前記第２のページングメッセージは、端末をページングするために使用される、段階と
を備え、
前記ダウンリンクパケットを転送プレーンゲートウェイによって受信する前記段階の前に、更に、
制御プレーンゲートウェイによって送信されたグループエントリ及びＩＰ処理エントリを前記転送プレーンゲートウェイによって受信する段階と、
前記制御プレーンゲートウェイによって送信された第１のページングメッセージを前記転送プレーンゲートウェイによって受信する段階と
を備え、
前記ダウンリンクパケットに従って、第２のページングメッセージを前記転送プレーンゲートウェイによって少なくとも１つの基地局に送信する前記段階は、
前記ダウンリンクパケットの宛先アドレスに従って、前記第２のページングメッセージの宛先アドレスを前記転送プレーンゲートウェイによって決定し、前記第２のページングメッセージの前記宛先アドレスに従って、前記第２のページングメッセージを前記少なくとも１つの基地局に送信する段階を有し、
前記ダウンリンクパケットの宛先アドレスに従って、前記第２のページングメッセージの宛先アドレスを前記転送プレーンゲートウェイによって決定し、前記第２のページングメッセージの前記宛先アドレスに従って、前記第２のページングメッセージを前記少なくとも１つの基地局に送信する前記段階は、
前記ＩＰ処理エントリ内にあり、かつ、前記ダウンリンクパケットの前記宛先アドレスに対応するグループエントリを、前記ダウンリンクパケットの前記宛先アドレスに従って、前記転送プレーンゲートウェイによって決定し、前記グループエントリのアクションエントリを実行する段階であって、前記アクションエントリは、前記第２のページングメッセージの前記宛先アドレスを含む、段階と、
前記グループエントリに対応する前記アクションエントリに従って、前記転送プレーンゲートウェイによって、前記第１のページングメッセージを前記第２のページングメッセージに変更する段階と、
前記第２のページングメッセージを前記転送プレーンゲートウェイによって前記少なくとも１つの基地局に送信する段階とを含む、ページング方法。
【請求項３】
前記グループエントリに対応する前記アクションエントリに従って、前記転送プレーンゲートウェイによって、前記第１のページングメッセージを前記第２のページングメッセージに変更する前記段階は、
前記第１のページングメッセージの宛先アドレスを、前記第２のページングメッセージの、前記アクションエントリに含まれる前記宛先アドレスに変更する段階であって、前記第２のページングメッセージは、その宛先アドレスが前記アクションエントリに従って変更された前記第１のページングメッセージである、段階を含む、請求項２に記載のページング方法。
【請求項４】
前記ＩＰ処理エントリは、マッチエントリ及びグループエントリ識別子を含み、前記マッチエントリは、前記ダウンリンクパケットの前記宛先アドレスに従って、前記ＩＰ処理エントリをマッチングすべく使用され、前記グループエントリ識別子は、前記グループエントリと前記ＩＰ処理エントリとの間の対応を示すべく使用される、
請求項１から３の何れか一項に記載のページング方法。
【請求項５】
前記ダウンリンクパケットを受信する場合、前記ダウンリンクパケットを前記転送プレーンゲートウェイによってバッファリングする段階を更に備える、請求項１から４の何れか一項に記載のページング方法。
【請求項６】
前記ＩＰ処理エントリは、コンテンツ記憶エントリを更に含み、前記コンテンツ記憶エントリは、前記コンテンツ記憶エントリに前記第１のページングメッセージを格納するために使用される、請求項１から４の何れか一項に記載のページング方法。
【請求項７】
前記ダウンリンクパケットに従って、第２のページングメッセージを前記転送プレーンゲートウェイによって少なくとも１つの基地局に送信する前記段階の後に、更に、
前記制御プレーンゲートウェイが、前記端末の前記ＩＰ処理エントリを削除するための命令を前記転送プレーンゲートウェイに送信するように、前記制御プレーンゲートウェイによって送信された、前記ＩＰ処理エントリを設定するための命令を、前記転送プレーンゲートウェイが事前設定された時間内に受信しない場合、ページングタイムアウトイベントを前記転送プレーンゲートウェイによって前記制御プレーンゲートウェイに報告する段階であって、前記ＩＰ処理エントリを設定するための前記命令は、前記端末によって送信されたページング応答メッセージに従って、前記制御プレーンゲートウェイによって対応して生成され、前記ページング応答メッセージは、前記第２のページングメッセージに従って、前記端末によって対応して生成される、段階と、
前記制御プレーンゲートウェイによって送信された、前記端末の前記ＩＰ処理エントリを削除するための前記命令を前記転送プレーンゲートウェイによって受信し、前記端末の前記ＩＰ処理エントリを削除するための前記命令に従って、前記端末の前記ＩＰ処理エントリを削除し、前記ダウンリンクパケットを解放する段階とを備える、請求項１から４、又は６の何れか一項に記載のページング方法。
【請求項８】
前記端末に対応する基地局情報は、１又は複数の位置エリア内の基地局のアドレスであり、前記１又は複数の位置エリアは、前記端末の現在の位置エリアを含む、請求項１から７の何れか一項に記載のページング方法。
【請求項９】
前記位置エリアは、モバイルネットワーク内のトラッキングエリアを含む、請求項８に記載のページング方法。
【請求項１０】
転送プレーンゲートウェイがダウンリンクパケットを受信する前に、グループエントリ及びＩＰ処理エントリを制御プレーンゲートウェイによって前記転送プレーンゲートウェイに送信する段階であって、前記グループエントリは前記ＩＰ処理エントリに対応している、段階と、
前記転送プレーンゲートウェイが、前記グループエントリ及び前記ＩＰ処理エントリに従って、第１のページングメッセージを第２のページングメッセージに変更するように、前記転送プレーンゲートウェイが前記ダウンリンクパケットを受信する前に、前記第１のページングメッセージを前記制御プレーンゲートウェイによって前記転送プレーンゲートウェイに送信する段階であって、前記第２のページングメッセージは、端末をページングするために使用される、段階と
を備えるページング方法。
【請求項１１】
前記グループエントリは、アクションエントリと、前記グループエントリにインデックスを付けるべく使用されるグループエントリ識別子とを含み、前記第１のページングメッセージの宛先アドレスが、前記第２のページングメッセージの、前記アクションエントリに含まれる宛先アドレスに変更されるように、前記アクションエントリは、前記第１のページングメッセージを前記第２のページングメッセージに変更するよう前記転送プレーンゲートウェイに命令すべく使用され、前記第２のページングメッセージは、その宛先アドレスが、前記アクションエントリに従って変更された前記第１のページングメッセージであり、前記転送プレーンゲートウェイが、前記第２のページングメッセージの前記宛先アドレスに従って、前記第２のページングメッセージを少なくとも１つの基地局に送信するように、前記アクションエントリは、前記第２のページングメッセージの前記宛先アドレスを含む、請求項１０に記載のページング方法。
【請求項１２】
前記ＩＰ処理エントリは、マッチエントリ及びグループエントリ識別子を含み、前記マッチエントリは、前記転送プレーンゲートウェイが、前記ダウンリンクパケットの宛先アドレスに従って、前記ＩＰ処理エントリをマッチングできるようにすべく使用され、前記グループエントリ識別子は、前記グループエントリと前記ＩＰ処理エントリとの間の対応を示すべく使用される、請求項１１に記載のページング方法。
【請求項１３】
前記ＩＰ処理エントリは更に、コンテンツ記憶エントリを含み、前記コンテンツ記憶エントリは、前記第１のページングメッセージを前記コンテンツ記憶エントリに格納するよう前記転送プレーンゲートウェイに命令すべく使用される、請求項１０から１２の何れか一項に記載のページング方法。
【請求項１４】
第１のページングメッセージを前記制御プレーンゲートウェイによって前記転送プレーンゲートウェイに送信する前記段階の後、更に、
前記転送プレーンゲートウェイが、前記ＩＰ処理エントリを設定するための命令に従って、前記アクションエントリを外側のトンネルカプセル化に設定するように、前記ＩＰ処理エントリを設定するための前記命令を前記制御プレーンゲートウェイによって前記転送プレーンゲートウェイに送信する段階を備える請求項１１又は１２に記載のページング方法。
【請求項１５】
第１のページングメッセージを前記制御プレーンゲートウェイによって前記転送プレーンゲートウェイに送信する前記段階の後、更に、
前記転送プレーンゲートウェイが前記ＩＰ処理エントリを削除するように、前記制御プレーンゲートウェイが、前記転送プレーンゲートウェイによって送信されたページングタイムアウトイベントを受信した場合、前記ＩＰ処理エントリを削除するための命令を前記制御プレーンゲートウェイによって前記転送プレーンゲートウェイに送信する段階であって、前記ページングタイムアウトイベントは、前記ＩＰ処理エントリを設定するための命令を前記転送プレーンゲートウェイが事前設定された時間内に受信しない場合に生成され、前記ＩＰ処理エントリを設定するための前記命令は、前記アクションエントリを外側のトンネルカプセル化に設定するよう前記転送プレーンゲートウェイに命令すべく使用される、段階を備える請求項１１又は１２に記載のページング方法。
【請求項１６】
更新された位置エリアに位置する前記端末が、修正されたＩＰ処理エントリに対応しているグループエントリを使用することによってページングされ得るように、前記端末が現在の位置エリアから前記更新された位置エリアに移動したと前記制御プレーンゲートウェイが決定した場合、前記更新された位置エリアに位置する前記端末に対応しているＩＰ処理エントリを前記制御プレーンゲートウェイによって修正する段階を更に備える請求項１０から１５の何れか一項に記載のページング方法。
【請求項１７】
前記端末のページングパラメータが変化したと前記制御プレーンゲートウェイが決定した場合、前記制御プレーンゲートウェイは、ページングパラメータが変化した前記端末に対応しているＩＰ処理エントリを修正し、前記ＩＰ処理エントリにバッファリングされた第１のページングメッセージを更新する、請求項１０から１５の何れか一項に記載のページング方法。
【請求項１８】
ダウンリンクパケットを受信する第１の受信ユニットと、
前記ダウンリンクパケットに従って第２のページングメッセージを少なくとも１つの基地局に送信する第１の送信ユニットであって、前記第２のページングメッセージは、端末をページングするために使用される、第１の送信ユニットと、
前記ダウンリンクパケットを受信する前に、制御プレーンゲートウェイによって送信された第１のページングメッセージを受信する第２の受信ユニットと、
前記制御プレーンゲートウェイによって送信されたグループエントリ及びＩＰ処理エントリを受信する第３の受信ユニットであって、前記グループエントリは前記ＩＰ処理エントリに対応している、第３の受信ユニットと
を備え、
前記第１の送信ユニットは、更に、前記ダウンリンクパケットの宛先アドレスに従って、前記第２のページングメッセージの宛先アドレスを決定し、前記第２のページングメッセージの前記宛先アドレスに従って、前記第２のページングメッセージを前記少なくとも１つの基地局に送信し、前記第２のページングメッセージの宛先アドレスを決定することは、前記ＩＰ処理エントリ及び前記グループエントリに従って、前記第１のページングメッセージを前記第２のページングメッセージに変更することを含む、転送プレーンゲートウェイデバイス。
【請求項１９】
ダウンリンクパケットを受信する第１の受信ユニットと、
前記ダウンリンクパケットに従って第２のページングメッセージを少なくとも１つの基地局に送信する第１の送信ユニットであって、前記第２のページングメッセージは、端末をページングするために使用される、第１の送信ユニットと、
前記ダウンリンクパケットを受信する前に、制御プレーンゲートウェイによって送信された第１のページングメッセージを受信する第２の受信ユニットと、
前記制御プレーンゲートウェイによって送信されたグループエントリ及びＩＰ処理エントリを受信する第３の受信ユニットと
を備え、
前記第１の送信ユニットは、更に、前記ダウンリンクパケットの宛先アドレスに従って、前記第２のページングメッセージの宛先アドレスを決定し、前記第２のページングメッセージの前記宛先アドレスに従って、前記第２のページングメッセージを前記少なくとも１つの基地局に送信し、
前記第１の送信ユニットは、
前記ＩＰ処理エントリ内にあり、かつ、前記ダウンリンクパケットの前記宛先アドレスに対応しているグループエントリを、前記ダウンリンクパケットの前記宛先アドレスに従って決定し、前記グループエントリのアクションエントリを実行する決定モジュールであって、前記アクションエントリは、前記第２のページングメッセージの前記宛先アドレスを含む、決定モジュールと、
前記グループエントリに対応する前記アクションエントリに従って、前記第１のページングメッセージを前記第２のページングメッセージに変更する変更モジュールと、
前記第２のページングメッセージを前記少なくとも１つの基地局に送信する送信モジュールとを有する、転送プレーンゲートウェイデバイス。
【請求項２０】
前記変更モジュールは、更に、前記第１のページングメッセージの宛先アドレスを、前記第２のページングメッセージの、前記アクションエントリに含まれる前記宛先アドレスに変更し、前記第２のページングメッセージは、その宛先アドレスが、前記アクションエントリに従って変更された前記第１のページングメッセージである、請求項１９に記載の転送プレーンゲートウェイデバイス。
【請求項２１】
前記ダウンリンクパケットをバッファリングする記憶ユニット
を更に備える請求項１８から２０の何れか一項に記載の転送プレーンゲートウェイデバイス。
【請求項２２】
前記制御プレーンゲートウェイが、前記端末の前記ＩＰ処理エントリを削除するための命令を前記転送プレーンゲートウェイデバイスに送信するように、前記制御プレーンゲートウェイによって送信された、前記ＩＰ処理エントリを設定するための命令が、事前設定された時間内に受信されない場合、ページングタイムアウトイベントを前記制御プレーンゲートウェイに報告する第２の送信ユニットであって、前記ＩＰ処理エントリを設定するための前記命令は、前記端末によって送信されたページング応答メッセージに従って、前記制御プレーンゲートウェイによって対応して生成され、前記ページング応答メッセージは、前記第２のページングメッセージに従って、前記端末によって対応して生成される、第２の送信ユニットと、
前記制御プレーンゲートウェイによって送信された、前記端末の前記ＩＰ処理エントリを削除するための命令を受信し、前記端末の前記ＩＰ処理エントリを削除するための前記命令に従って、前記端末の前記ＩＰ処理エントリを削除し、前記ダウンリンクパケットを解放する第４の受信ユニットと、
を更に備える請求項１８から２０の何れか一項に記載の転送プレーンゲートウェイデバイス。
【請求項２３】
転送プレーンゲートウェイがダウンリンクパケットを受信する前に、グループエントリ及びＩＰ処理エントリを前記転送プレーンゲートウェイに送信する第３の送信ユニットであって、前記グループエントリは、前記ＩＰ処理エントリに対応している、第３の送信ユニットと、
前記転送プレーンゲートウェイが、前記グループエントリ及び前記ＩＰ処理エントリに従って、第１のページングメッセージを第２のページングメッセージに変更するように、前記転送プレーンゲートウェイが前記ダウンリンクパケットを受信する前に、前記第１のページングメッセージを前記転送プレーンゲートウェイに送信する第４の送信ユニットであって、前記第２のページングメッセージは、端末をページングするために使用される、第４の送信ユニットと、
を備える制御プレーンゲートウェイデバイス。
【請求項２４】
前記転送プレーンゲートウェイが、前記ＩＰ処理エントリを設定するための命令に従って、アクションエントリを外側のトンネルカプセル化に設定し、前記ＩＰ処理エントリを、前記ダウンリンクパケットを受信する端末のアドレスと関連付けるように、前記ＩＰ処理エントリを設定するための前記命令を前記転送プレーンゲートウェイに送信する第５の送信ユニット
を更に備える請求項２３に記載の制御プレーンゲートウェイデバイス。
【請求項２５】
前記転送プレーンゲートウェイが前記ＩＰ処理エントリを削除するように、前記転送プレーンゲートウェイによって送信されたページングタイムアウトイベントが受信された場合、前記ＩＰ処理エントリを削除するための命令を前記転送プレーンゲートウェイに送信する第５の受信ユニットであって、前記ＩＰ処理エントリを設定するための命令を、前記転送プレーンゲートウェイが事前設定された時間内に受信しない場合に前記ページングタイムアウトイベントが生成され、前記ＩＰ処理エントリを設定するための前記命令は、前記アクションエントリを外側のトンネルカプセル化に設定し、前記ＩＰ処理エントリを、前記ダウンリンクパケットを受信する端末のアドレスと関連付けるよう前記転送プレーンゲートウェイに命令すべく使用される、第５の受信ユニット
を更に備える請求項２４に記載の制御プレーンゲートウェイデバイス。
【請求項２６】
更新された位置エリアに位置する前記端末が、修正されたＩＰ処理エントリに対応しているグループエントリを使用することによってページングされ得るように、前記端末が、現在の位置エリアから前記更新された位置エリアに移動した場合、前記更新された位置エリアに位置する前記端末に対応しているＩＰ処理エントリを修正する第１の修正ユニット
を更に備える請求項２３から２５の何れか一項に記載の制御プレーンゲートウェイデバイス。
【請求項２７】
前記端末のページングパラメータが変化した場合、ページングパラメータが変化した前記端末に対応しているＩＰ処理エントリを修正し、前記ＩＰ処理エントリにバッファリングされた第１のページングメッセージを更新する第２の修正ユニット
を更に備える請求項２３から２５の何れか一項に記載の制御プレーンゲートウェイデバイス。
【請求項２８】
システムであって、前記システムは、それぞれの位置エリアに位置する基地局と、前記位置エリアに位置し、かつ、前記基地局に接続された端末とを備え、
前記システムは更に、請求項１８から２２の何れか一項に記載の転送プレーンゲートウェイデバイスと、
請求項２３から２７の何れか一項に記載の制御プレーンゲートウェイデバイスとを備え、
前記転送プレーンゲートウェイデバイスは前記制御プレーンゲートウェイデバイスに接続され、前記転送プレーンゲートウェイデバイスは、前記基地局及び前記端末に接続されており、前記制御プレーンゲートウェイデバイスは、前記基地局及び前記端末に接続されている、システム。
【請求項２９】
コンピュータユニットによって実行されると、前記コンピュータユニットに、請求項１から９の何れか一項に記載の方法を実行させるコンピュータプログラムコードを備えるコンピュータプログラム。
【請求項３０】
コンピュータユニットによって実行されると、前記コンピュータユニットに、請求項１０から１７の何れか一項に記載の方法を実行させるコンピュータプログラムコードを備えるコンピュータプログラム。
【発明の詳細な説明】
【技術分野】
【０００１】
本発明は通信技術分野に関し、特に、ページング方法、関連デバイス、及びシステムに関する。
【背景技術】
【０００２】
図１に示されるように、発展型ネットワークシステムは、端末（Ｕｓｅｒ  Ｅｑｕｉｐｍｅｎｔ、ＵＥ）、無線アクセスネットワーク（Ｒａｄｉｏ  Ａｃｃｅｓｓ  Ｎｅｔｗｏｒｋ、ＲＡＮ）、制御プレーンゲートウェイ（Ｃｏｎｔｒｏｌ  Ｐｌａｎｅ  Ｇａｔｅｗａｙ、ＧＷ‐Ｃ）、転送プレーンゲートウェイ（Ｕｓｅｒ  Ｐｌａｎｅ  Ｇａｔｅｗａｙ、ＧＷ‐Ｕ）、及びモビリティ管理ネットワーク要素を含む。モビリティ管理ネットワーク要素は、モビリティ管理エンティティ（Ｍｏｂｉｌｉｔｙ  Ｍａｎａｇｅｍｅｎｔ  Ｅｎｔｉｔｙ、ＭＭＥ）、及び／又は、サービング汎用パケット無線サービスサポートノード（Ｓｅｒｖｉｎｇ  ＧＰＲＳ  Ｓｕｐｐｏｒｔ  Ｎｏｄｅ、ＳＧＳＮ）を含む。モビリティ管理エンティティは、ＵＥを認証し、認証後、ユーザデータ伝送のために使用されるベアラを構築するよう制御プレーンゲートウェイに命令すべく使用される。制御プレーンゲートウェイはインタフェースシグナリングを処理すべく使用される。転送プレーンゲートウェイはデータを転送すべく使用され、転送プレーンゲートウェイは更に、パケットデータネットワーク（Ｐａｃｋｅｔ  Ｄａｔａ  Ｎｅｔｗｏｒｋ、ＰＤＮ）のダウンリンクデータを受信し、ベアラを使用することによって当該ダウンリンクデータをＵＥに送信し、ＵＥからのアップリンクデータを、対応するＰＤＮに送信すべく使用される。発展型ネットワークシステムでは、制御プレーンゲートウェイは転送プレーンゲートウェイから分離されている。例えば、制御プレーンゲートウェイは中心都市に配置され、転送プレーンゲートウェイは中心都市の周辺地域に別個に配置される。
【０００３】
図２に示されるように、発展型ネットワークシステムに基づいて、既存のページング方法の手順は以下の段階を含む。
【０００４】
１０１．無線接続を解放する。
【０００５】
具体的には、ＵＥは、ＵＥと発展型ノードＢ（ｅｖｏｌｖｅｄ  ＮｏｄｅＢ、ｅＮＢ）  ｅＮＢ  ａとの間の無線接続を解放する。無線接続の解放後、ＵＥはアイドル（ＩＤＬＥ）状態に入る。
【０００６】
１０２．ＵＥのコンテキストを解放する。
【０００７】
具体的には、ｅＮＢ  ａ及びＭＭＥは、ＵＥのコンテキストを解放する。ＭＭＥは、ＵＥの現在の位置エリアを維持する。各位置エリアは、１又は複数のｅＮＢを含む。
【０００８】
１０３．アクセスベアラを解放する。
【０００９】
具体的には、ＭＭＥは、ＧＷ‐ＵとｅＮＢ  ａとの間のベアラを解放するようＧＷ‐Ｃに命令する。
【００１０】
１０４．転送テーブルを修正する。
【００１１】
具体的には、ＧＷ＿Ｃは、ＵＥのためのユーザＩＰ転送テーブルを修正する。標準的な制御転送デカップリングインタフェースを使用することによって、ＧＷ＿ＣはＧＷ‐Ｕに命令して、ユーザＩＰ転送テーブルを修正させ、汎用パケット無線サービス（Ｇｅｎｅｒａｌ  Ｐａｃｋｅｔ  Ｒａｄｉｏ  Ｓｅｒｖｉｃｅ、ＧＰＲＳ）トンネリングプロトコル転送プレーン（ＧＰＲＳ  Ｔｕｎｎｅｌｉｎｇ  Ｐｒｏｔｏｃｏｌ  Ｕｓｅｒ  Ｐｌａｎｅ、ＧＴＰ−Ｕ）パケットの基地局への送信を停止させ、ユーザダウンリンクパケットをバッファリングさせ、イベントを報告させる。当該デカップリングインタフェースは、Ｏｐｅｎ  ｆｌｏｗ、Ｉ２ＲＳ、又はＦＯＲＣＥＳなどの業界定義のインタフェースプロトコルに基づいたインタフェースであってよい。
【００１２】
１０５．トラッキングエリアを更新する。
【００１３】
ＵＥが新たな位置エリアに移動した場合、ＵＥは位置更新手順を開始し、ＵＥの新たな位置エリアのＭＭＥに通知する。
【００１４】
１０６．ダウンリンクパケットをバッファリングする。
【００１５】
具体的には、ＧＷ‐Ｕはパケットデータネットワークからダウンリンクパケットを受信し、ユーザＩＰ転送テーブルの命令に従って当該ダウンリンクパケットをバッファリングする。
【００１６】
１０７．ダウンリンクパケット到着イベントを送信する。
【００１７】
ＧＷ‐Ｕは、ＩＰ転送テーブルの命令に従って、ダウンリンクパケット到着イベントをＧＷ‐Ｃに送信する。
【００１８】
１０８．ＧＷ‐Ｃは、ダウンリンクデータ通知をＭＭＥに送信する。
【００１９】
１０９．ＭＭＥは、ページングメッセージを基地局に送信する。
【００２０】
具体的には、ＭＭＥは、格納されたＵＥの現在の位置エリアに従って、位置エリア内の全ての基地局にページングメッセージを送信する。全ての基地局は、ｅＮＢ  ｂ及びｅＮＢ  ｃを含む。
【００２１】
１１０．ＵＥは、サービス要求をｅＮＢ  ｂに送信する。
【００２２】
１１１．ｅＮＢ  ｂはサービス要求をＭＭＥに転送する。
【００２３】
１１２．ＭＭＥはユーザコンテキストを構築するようｅＮＢ  ｂに命令する。
【００２４】
１１３．ｅＮＢ  ｂは、ＵＥへの無線接続を確立する。
【００２５】
１１４．ＭＭＥは、ＧＷ‐Ｕと基地局との間にＧＴＰ‐Ｕトンネルを構築するようＧＷ‐Ｃに命令する。
【００２６】
１１５．ＧＷ‐Ｃは、ユーザＩＰ転送テーブルアクションを修正するようＧＷ‐Ｕに命令する。
【００２７】
１１６．ベアラを構築し、ダウンリンクパケットをＵＥに送信する。
【００２８】
ＧＷ‐Ｕは、パケットをＧＴＰ‐Ｕトンネルの中にカプセル化し、カプセル化されたパケットを対応する基地局に送信し、これにより、エンドツーエンド伝送路がＧＷ‐ＵとＵＥとの間に作り出される、すなわち、ＧＷ‐ＵとＵＥとの間にベアラが構築される。ＧＷ‐Ｕによってバッファリングされたダウンリンクパケットは、当該伝送路を使用することによってＵＥに送信される。
【００２９】
制御プレーンゲートウェイは転送プレーンゲートウェイから分離されており、制御プレーンゲートウェイは集中配置され、転送プレーンゲートウェイは分散配置されているので、制御プレーンゲートウェイは、転送プレーンゲートウェイから遠く離れており、制御プレーンゲートウェイと転送プレーンゲートウェイとの間で頻繁なシグナリングインタワーキングがあり、これは比較的長い時間を要する。例えば、制御プレーンゲートウェイは中心都市に配置され、転送プレーンゲートウェイは中心都市の周辺地域に別個に配置される。ダウンリンクパケットが転送プレーンゲートウェイに到着した後、転送プレーンゲートウェイは制御プレーンゲートウェイに知らせる必要がある。その結果、メッセージ転送が迂遠であり、ページング時間が増加する。
【発明の概要】
【００３０】
本発明の目的は、ページング方法、関連デバイス、及びシステムを提供することである。当該ページング方法は、制御プレーンゲートウェイと転送プレーンゲートウェイとの間のシグナリングインタワーキングを低減すべく使用される。
【００３１】
本発明の実施形態の第１態様がページング方法を提供する。当該方法は、
ダウンリンクパケットを転送プレーンゲートウェイによって受信する段階と、
ダウンリンクパケットに従って、第２のページングメッセージを転送プレーンゲートウェイによって少なくとも１つの基地局に送信する段階であって、第２のページングメッセージは、端末をページングするために使用される、段階とを備える。
【００３２】
本発明の実施形態の第１態様を参照して、本発明の実施形態の第１態様の第１実施方式において、
ダウンリンクパケットを転送プレーンゲートウェイによって受信する段階の前に、当該方法は更に、
制御プレーンゲートウェイによって送信された第１のページングメッセージを転送プレーンゲートウェイによって受信する段階を備え、
ダウンリンクパケットに従って、第２のページングメッセージを転送プレーンゲートウェイによって少なくとも１つの基地局に送信する段階は、
ダウンリンクパケットの宛先アドレスに従って第２のページングメッセージの宛先アドレスを転送プレーンゲートウェイによって決定し、第２のページングメッセージの宛先アドレスに従って第２のページングメッセージを少なくとも１つの基地局に送信する段階を有する。
【００３３】
本発明の実施形態の第１態様の第１実施方式を参照して、本発明の実施形態の第１態様の第２実施方式において、
ダウンリンクパケットを転送プレーンゲートウェイによって受信する段階の前に、当該方法は更に、
制御プレーンゲートウェイによって送信されたグループエントリ及びＩＰ処理エントリを転送プレーンゲートウェイによって受信する段階を備え、
ダウンリンクパケットの宛先アドレスに従って第２のページングメッセージの宛先アドレスを転送プレーンゲートウェイによって決定し、第２のページングメッセージの宛先アドレスに従って第２のページングメッセージを少なくとも１つの基地局に送信する段階は、
ＩＰ処理エントリ内にあり、かつダウンリンクパケットの宛先アドレスに対応するグループエントリを、ダウンリンクパケットの宛先アドレスに従って、転送プレーンゲートウェイによって決定し、グループエントリのアクションエントリを実行する段階であって、当該アクションエントリは、第２のページングメッセージの宛先アドレスを含む、段階と、
グループエントリに対応するアクションエントリに従って、第１のページングメッセージを第２のページングメッセージへと転送プレーンゲートウェイによって変更する段階と、
第２のページングメッセージを少なくとも１つの基地局に転送プレーンゲートウェイによって送信する段階とを有する。
【００３４】
本発明の実施形態の第１態様の第２実施方式を参照して、本発明の実施形態の第１態様の第３の実施方式において、
グループエントリに対応するアクションエントリに従って、第１のページングメッセージを第２のページングメッセージへと転送プレーンゲートウェイによって変更する段階は、
第１のページングメッセージの宛先アドレスを、第２のページングメッセージの、アクションエントリに含まれる宛先アドレスに変更する段階であって、当該第２のページングメッセージは、その宛先アドレスが、アクションエントリに従って変更された第１のページングメッセージである、段階を含む。
【００３５】
本発明の実施形態の第１態様の第１実施方式から本発明の実施形態の第１態様の第３の実施方式のうちの何れか１つに係るページング方法を参照して、本発明の実施形態の第１態様の第４実施方式において、
ＩＰ処理エントリは、マッチエントリ及びグループエントリ識別子を含み、マッチエントリは、ダウンリンクパケットの宛先アドレスに従って、ＩＰ処理エントリをマッチングすべく使用され、グループエントリ識別子は、グループエントリとＩＰ処理エントリとの間の対応を示すべく使用される。
【００３６】
本発明の実施形態の第１態様から本発明の実施形態の第１態様の第４実施方式のうちの何れか１つに係るページング方法を参照して、本発明の実施形態の第１態様の第５実施方式において、当該方法は更に、
ダウンリンクパケットを受信した場合、ダウンリンクパケットを転送プレーンゲートウェイによってバッファリングする段階を備える。
【００３７】
本発明の実施形態の第１態様の第１実施方式から本発明の実施形態の第１態様の第４実施方式のうちの何れか１つに係るページング方法を参照して、本発明の実施形態の第１態様の第６の実施方式において、
ＩＰ処理エントリは更にコンテンツ記憶エントリを含み、当該コンテンツ記憶エントリは、第１のページングメッセージを記憶エントリに格納すべく使用される。
【００３８】
本発明の実施形態の第１態様から本発明の実施形態の第１態様の第６の実施方式のうちの何れか１つに係るページング方法を参照して、本発明の実施形態の第１態様の第７の実施方式において、
ダウンリンクパケットに従って、第２のページングメッセージを転送プレーンゲートウェイによって少なくとも１つの基地局に送信する段階の後、当該方法は更に、
制御プレーンゲートウェイが、端末のＩＰ処理エントリを削除するための命令を転送プレーンゲートウェイに送信するように、制御プレーンゲートウェイによって送信された、ＩＰ処理エントリを設定するための命令を転送プレーンゲートウェイが事前設定された時間内に受信しない場合、転送プレーンゲートウェイによってページングタイムアウトイベントを制御プレーンゲートウェイに報告する段階であって、ＩＰ処理エントリを設定するための命令は、端末によって送信されたページング応答メッセージに従って、制御プレーンゲートウェイによって対応して生成され、ページング応答メッセージは、第２のページングメッセージに従って、端末によって対応して生成される、段階と、
制御プレーンゲートウェイによって送信された、端末のＩＰ処理エントリを削除するための命令を転送プレーンゲートウェイによって受信し、端末のＩＰ処理エントリを削除するための命令に従って、端末のＩＰ処理エントリを削除し、ダウンリンクパケットを解放する段階とを備える。
【００３９】
本発明の実施形態の第１態様から本発明の実施形態の第１態様の第７の実施方式のうちの何れか１つに係るページング方法を参照して、本発明の実施形態の第１態様の第８実施方式において、
端末に対応する基地局情報は、１又は複数の位置エリアにおける基地局のアドレスであり、当該１又は複数の位置エリアは、端末の現在の位置エリアを含む。
【００４０】
本発明の実施形態の第１態様の第８実施方式を参照して、本発明の実施形態の第１態様の第９実施方式において、
当該位置エリアは、モバイルネットワークにおけるトラッキングエリアを含む。
【００４１】
本発明の実施形態の第２態様はページング方法を提供する。当該方法は、
グループエントリ及びＩＰ処理エントリを制御プレーンゲートウェイによって転送プレーンゲートウェイに送信する段階であって、グループエントリはＩＰ処理エントリに対応している、段階と、
転送プレーンゲートウェイが、グループエントリ及びＩＰ処理エントリに従って、第１のページングメッセージを第２のページングメッセージに変更するように、第１のページングメッセージを制御プレーンゲートウェイによって転送プレーンゲートウェイに送信する段階であって、当該第２のページングメッセージは、端末をページングするために使用される、段階とを備える。
【００４２】
本発明の実施形態の第２態様を参照して、本発明の実施形態の第２態様の第１実施方式において、
当該グループエントリは、アクションエントリと、グループエントリにインデックスを付けるべく使用されるグループエントリ識別子とを含み、第１のページングメッセージの宛先アドレスが、第２のページングメッセージの、アクションエントリに含まれる宛先アドレスに変更されるように、アクションエントリは、第１のページングメッセージを第２のページングメッセージに変更するよう転送プレーンゲートウェイに命令すべく使用され、第２のページングメッセージは、その宛先アドレスが、アクションエントリに従って変更された第１のページングメッセージであり、転送プレーンゲートウェイが、第２のページングメッセージの宛先アドレスに従って、第２のページングメッセージを少なくとも１つの基地局に送信するように、アクションエントリは、第２のページングメッセージの宛先アドレスを含む。
【００４３】
本発明の実施形態の第２態様の第１実施方式を参照して、本発明の実施形態の第２態様の第２実施方式において、
ＩＰ処理エントリはマッチエントリ及びグループエントリ識別子を含み、マッチエントリは、転送プレーンゲートウェイが、ダウンリンクパケットの宛先アドレスに従ってＩＰ処理エントリをマッチングできるようにすべく使用され、グループエントリ識別子は、グループエントリとＩＰ処理エントリとの間の対応を示すべく使用される。
【００４４】
本発明の実施形態の第２態様から本発明の実施形態の第２態様の第２実施方式を参照して、本発明の実施形態の第２態様の第３の実施方式において、
ＩＰ処理エントリは更にコンテンツ記憶エントリを含み、コンテンツ記憶エントリは、第１のページングメッセージを記憶エントリに格納するよう転送プレーンゲートウェイに命令すべく使用される。
【００４５】
本発明の実施形態の第２態様から本発明の実施形態の第２態様の第３の実施方式を参照して、本発明の実施形態の第２態様の第４実施方式において、
第１のページングメッセージを制御プレーンゲートウェイによって転送プレーンゲートウェイに送信する段階の後、当該方法は更に、
転送プレーンゲートウェイが、ＩＰ処理エントリを設定するための命令に従って、アクションエントリを外側のトンネルカプセル化に設定するように、ＩＰ処理エントリを設定するための命令を制御プレーンゲートウェイによって転送プレーンゲートウェイに送信する段階を備える。
【００４６】
本発明の実施形態の第２態様から本発明の実施形態の第２態様の第３の実施方式を参照して、本発明の実施形態の第２態様の第５実施方式において、
第１のページングメッセージを制御プレーンゲートウェイによって転送プレーンゲートウェイに送信する段階の後、当該方法は更に、
転送プレーンゲートウェイがＩＰ処理エントリを削除するように、転送プレーンゲートウェイによって送信されたページングタイムアウトイベントを制御プレーンゲートウェイが受信する場合、ＩＰ処理エントリを削除するための命令を制御プレーンゲートウェイによって転送プレーンゲートウェイに送信する段階であって、ページングタイムアウトイベントは、ＩＰ処理エントリを設定するための命令を転送プレーンゲートウェイが事前設定された時間内に受信しない場合に生成され、ＩＰ処理エントリを設定するための命令は、アクションエントリを外側のトンネルカプセル化に設定するよう転送プレーンゲートウェイに命令すべく使用される、段階を備える。
【００４７】
本発明の実施形態の第２態様から本発明の実施形態の第２態様の第５実施方式を参照して、本発明の実施形態の第２態様の第６の実施方式において、
当該方法は更に、
更新された位置エリアに位置する端末が、修正されたＩＰ処理エントリに対応しているグループエントリを使用することによってページングされ得るように、端末が、現在の位置エリアから更新された位置エリアに移動したと制御プレーンゲートウェイが決定した場合、更新された位置エリアに位置する端末に対応しているＩＰ処理エントリを制御プレーンゲートウェイによって修正する段階を備える。
【００４８】
本発明の実施形態の第２態様から本発明の実施形態の第２態様の第５実施方式を参照して、本発明の実施形態の第２態様の第７の実施方式において、
端末変更のページングパラメータが変化したと制御プレーンゲートウェイが決定した場合、制御プレーンゲートウェイは、そのページングパラメータが変化した端末に対応しているＩＰ処理エントリを修正し、ＩＰ処理エントリにバッファリングされた第１のページングメッセージを更新する。
【００４９】
本発明の実施形態の第３態様が転送プレーンゲートウェイデバイスを提供する。当該デバイスは、
ダウンリンクパケットを受信するよう構成された第１の受信ユニットと、
ダウンリンクパケットに従って第２のページングメッセージを少なくとも１つの基地局に送信するよう構成された第１の送信ユニットであって、当該第２のページングメッセージは、端末をページングするために使用される、第１の送信ユニットとを備える。
【００５０】
本発明の実施形態の第３態様を参照して、本発明の実施形態の第３態様の第１実施方式において、
当該デバイスは更に、
制御プレーンゲートウェイによって送信された第１のページングメッセージを受信するよう構成された第２の受信ユニットを備え、
第１の送信ユニットは更に、ダウンリンクパケットの宛先アドレスに従って、第２のページングメッセージの宛先アドレスを決定し、第２のページングメッセージの宛先アドレスに従って、第２のページングメッセージを少なくとも１つの基地局に送信するよう構成されている。
【００５１】
本発明の実施形態の第３態様の第１実施方式を参照して、本発明の実施形態の第３態様の第２実施方式において、
当該デバイスは更に、
制御プレーンゲートウェイによって送信されたグループエントリ及びＩＰ処理エントリを受信するよう構成された第３の受信ユニットを備え、
第１の送信ユニットは、
ＩＰ処理エントリ内にあり、かつダウンリンクパケットの宛先アドレスに対応しているグループエントリを、ダウンリンクパケットの宛先アドレスに従って決定し、グループエントリのアクションエントリであって、第２のページングメッセージの宛先アドレスを含むアクションエントリを実行するよう構成された決定モジュールと、
グループエントリに対応するアクションエントリに従って、第１のページングメッセージを第２のページングメッセージに変更するよう構成された変更モジュールと、
第２のページングメッセージを少なくとも１つの基地局に送信するよう構成された送信モジュールとを含む。
【００５２】
本発明の実施形態の第３態様の第２実施方式を参照して、本発明の実施形態の第３態様の第３の実施方式において、
変更モジュールは更に、第１のページングメッセージの宛先アドレスを、第２のページングメッセージの、アクションエントリに含まれる宛先アドレスに変更するよう構成されており、当該第２のページングメッセージは、その宛先アドレスがアクションエントリに従って変更された第１のページングメッセージである。
【００５３】
本発明の実施形態の第３態様から本発明の実施形態の第３態様の第３の実施方式を参照して、本発明の実施形態の第３態様の第４実施方式において、
当該デバイスは更に、
ダウンリンクパケットをバッファリングするよう構成された記憶ユニットを含む。
【００５４】
本発明の実施形態の第３態様から本発明の実施形態の第３態様の第４実施方式を参照して、本発明の実施形態の第３態様の第５実施方式において、
当該デバイスは更に、
制御プレーンゲートウェイが、端末のＩＰ処理エントリを削除するための命令を転送プレーンゲートウェイに送信するように、制御プレーンゲートウェイによって送信された、ＩＰ処理エントリを設定するための命令が、事前設定された時間内に受信されない場合、ページングタイムアウトイベントを制御プレーンゲートウェイに報告するよう構成された第２の送信ユニットであって、ＩＰ処理エントリを設定するための命令は、端末によって送信されたページング応答メッセージに従って、制御プレーンゲートウェイによって対応して生成され、ページング応答メッセージは、第２のページングメッセージに従って端末によって対応して生成される、第２の送信ユニットと、
制御プレーンゲートウェイによって送信された、端末のＩＰ処理エントリを削除するための命令を受信し、端末のＩＰ処理エントリを削除するための命令に従って、端末のＩＰ処理エントリを削除し、ダウンリンクパケットを解放するよう構成された第４の受信ユニットとを含む。
【００５５】
本発明の実施形態の第４態様が制御プレーンゲートウェイデバイスを提供する。当該デバイスは、
グループエントリ及びＩＰ処理エントリを転送プレーンゲートウェイに送信するよう構成された第３の送信ユニットであって、グループエントリはＩＰ処理エントリに対応している、第３の送信ユニットと、
転送プレーンゲートウェイが、グループエントリ及びＩＰ処理エントリに従って第１のページングメッセージを第２のページングメッセージに変更するように、第１のページングメッセージを転送プレーンゲートウェイに送信するよう構成された第４の送信ユニットであって、当該第２のページングメッセージは端末をページングするために使用される、第４の送信ユニットとを備える。
【００５６】
本発明の実施形態の第４態様を参照して、本発明の実施形態の第４態様の第１実施方式において、
当該デバイスは更に、
転送プレーンゲートウェイが、ＩＰ処理エントリを設定するための命令に従って、アクションエントリを外側のトンネルカプセル化に設定し、ＩＰ処理エントリを、ダウンリンクパケットを受信する端末のアドレスと関連付けるように、ＩＰ処理エントリを設定するための命令を転送プレーンゲートウェイに送信するよう構成された第５の送信ユニットを備える。
【００５７】
本発明の実施形態の第４態様を参照して、本発明の実施形態の第４態様の第２実施方式において、
当該デバイスは更に、
転送プレーンゲートウェイがＩＰ処理エントリを削除するように、転送プレーンゲートウェイによって送信されたページングタイムアウトイベントが受信された場合、ＩＰ処理エントリを削除するための命令を転送プレーンゲートウェイに送信するよう構成された第５の受信ユニットであって、ページングタイムアウトイベントは、ＩＰ処理エントリを設定するための命令を転送プレーンゲートウェイが事前設定された時間内に受信しない場合に生成され、ＩＰ処理エントリを設定するための命令は、アクションエントリを外側のトンネルカプセル化に設定し、ＩＰ処理エントリを、ダウンリンクパケットを受信する端末のアドレスと関連付けるよう転送プレーンゲートウェイに命令すべく使用される、第５の受信ユニットを含む。
【００５８】
本発明の実施形態の第４態様から本発明の実施形態の第４態様第２実施方式を参照して、本発明の実施形態の第４態様の第３の実施方式において、
当該デバイスは更に、
更新された位置エリアに位置する端末が、修正されたＩＰ処理エントリに対応しているグループエントリを使用することによってページングされ得るように、端末が現在の位置エリアから更新された位置エリアに移動したと決定された場合、更新された位置エリアに位置する端末に対応しているＩＰ処理エントリを修正するよう構成された第１の修正ユニットを備える。
【００５９】
本発明の実施形態の第４態様から本発明の実施形態の第４態様の第２実施方式を参照して、本発明の実施形態の第４態様の第４実施方式において、
当該デバイスは更に、
端末のページングパラメータが変化したと決定された場合、そのページングパラメータが変化した端末に対応しているＩＰ処理エントリを修正し、ＩＰ処理エントリにバッファリングされた第１のページングメッセージを更新するよう構成された第２の修正ユニットを含む。
【００６０】
本発明の実施形態の第５態様がシステムを提供する。当該システムは、各位置エリアに位置する基地局と、位置エリアに位置し、かつ基地局に接続された端末とを備え、当該システムは更に、
本発明の実施形態の第３態様から本発明の実施形態の第３態様の第５実施方式のうちの何れか１つに係る転送プレーンゲートウェイデバイスと、
本発明の実施形態の第４態様から本発明の実施形態の第４態様の第４実施方式のうちの何れか１つに係る制御プレーンゲートウェイデバイスとを備え、ここで、
転送プレーンゲートウェイデバイスは制御プレーンゲートウェイデバイスに接続されており、転送プレーンゲートウェイデバイスは、基地局及び端末に別個に接続されており、制御プレーンゲートウェイデバイスは、基地局及び端末に別個に接続されている。
【００６１】
本発明の実施形態の第６態様が転送プレーンゲートウェイデバイスを提供する。当該デバイスは、
メモリ、中央処理装置、周辺インタフェース、ＲＦ回路、電力管理チップ、及び通信バスを備え、ここで、
中央処理装置は、以下の動作：
ダウンリンクパケットを受信する動作、及び
ダウンリンクパケットに従って、第２のページングメッセージを少なくとも１つの基地局に送信する動作であって、当該第２のページングメッセージは、端末をページングするために使用される、動作を実行する。
【００６２】
本発明の実施形態の第６態様を参照して、本発明の実施形態の第６態様の第１実施方式において、
中央処理装置は具体的に以下の動作：
制御プレーンゲートウェイによって送信された第１のページングメッセージを受信する動作、及び
ダウンリンクパケットの宛先アドレスに従って第２のページングメッセージの宛先アドレスを決定し、第２のページングメッセージの宛先アドレスに従って、第２のページングメッセージを少なくとも１つの基地局に送信する動作を実行する。
【００６３】
本発明の実施形態の第６態様の第１実施方式を参照して、本発明の実施形態の第６態様の第２実施方式において、
中央処理装置は具体的に以下の動作：
制御プレーンゲートウェイによって送信されたグループエントリ及びＩＰ処理エントリを受信する動作、
ＩＰ処理エントリ内にあり、かつ、ダウンリンクパケットの宛先アドレスに対応するグループエントリをダウンリンクパケットの宛先アドレスに従って決定し、グループエントリのアクションエントリを実行する動作であって、当該アクションエントリは、第２のページングメッセージの宛先アドレスを含む、動作、
グループエントリに対応するアクションエントリに従って、第１のページングメッセージを第２のページングメッセージに変更する動作、及び、
第２のページングメッセージを少なくとも１つの基地局に送信する動作を実行する。
【００６４】
本発明の実施形態の第６態様の第２実施方式を参照して、本発明の実施形態の第６態様の第３の実施方式において、
中央処理装置は具体的に以下の動作：
第１のページングメッセージの宛先アドレスを、第２のページングメッセージの、アクションエントリに含まれる宛先アドレスに変更する動作であって、当該第２のページングメッセージは、その宛先アドレスがアクションエントリに従って変更された第１のページングメッセージである、動作を実行する。
【００６５】
本発明の実施形態の第６態様から本発明の実施形態の第６態様の第３の実施方式を参照して、本発明の実施形態の第６態様の第４実施方式において、
中央処理装置は具体的に以下の動作：
ダウンリンクパケットをバッファリングする動作を実行する。
【００６６】
本発明の実施形態の第６態様から本発明の実施形態の第６態様の第４実施方式を参照して、本発明の実施形態の第６態様の第５実施方式において、
中央処理装置は具体的に以下の動作：
制御プレーンゲートウェイが、端末のＩＰ処理エントリを削除するため命令を転送プレーンゲートウェイに送信するように、制御プレーンゲートウェイによって送信された、ＩＰ処理エントリを設定するための命令が、事前設定された時間内に受信されない場合、ページングタイムアウトイベントを制御プレーンゲートウェイに報告する動作であって、ＩＰ処理エントリを設定するための命令は、端末によって送信されたページング応答メッセージに従って、制御プレーンゲートウェイによって対応して生成され、ページング応答メッセージは、第２のページングメッセージに従って端末によって対応して生成される、動作、及び
制御プレーンゲートウェイによって送信された、端末のＩＰ処理エントリを削除するための命令を受信し、端末のＩＰ処理エントリを削除するための命令に従って、端末のＩＰ処理エントリを削除し、ダウンリンクパケットを解放する動作を実行する。
【００６７】
本発明の実施形態の第７態様が制御プレーンゲートウェイデバイスを提供する。当該デバイスは、
メモリ、中央処理装置、周辺インタフェース、ＲＦ回路、電力管理チップ、及び通信バスを含み、ここで、
中央処理装置は、以下の動作：
グループエントリ及びＩＰ処理エントリを転送プレーンゲートウェイに送信する動作であって、グループエントリはＩＰ処理エントリに対応している、動作、及び
転送プレーンゲートウェイが、グループエントリ及びＩＰ処理エントリに従って、第１のページングメッセージを第２のページングメッセージに変更するように、第１のページングメッセージを転送プレーンゲートウェイに送信する動作であって、第２のページングメッセージは、端末をページングするために使用される、動作を実行する。
【００６８】
本発明の実施形態の第７態様を参照して、本発明の実施形態の第７態様の第１実施方式において、
中央処理装置は具体的に以下の動作：
転送プレーンゲートウェイが、ＩＰ処理エントリを設定するための命令に従って、アクションエントリを外側のトンネルカプセル化に設定し、ＩＰ処理エントリを、ダウンリンクパケットを受信する端末のアドレスと関連付けるように、ＩＰ処理エントリを設定するための命令を転送プレーンゲートウェイに送信する動作を実行する。
【００６９】
本発明の実施形態の第７態様を参照して、本発明の実施形態の第７態様の第２実施方式において、
中央処理装置は具体的に以下の動作：
転送プレーンゲートウェイが、ＩＰ処理エントリを削除するように、転送プレーンゲートウェイによって送信されたページングタイムアウトイベントが受信された場合、ＩＰ処理エントリを削除するための命令を転送プレーンゲートウェイに送信する動作であって、ページングタイムアウトイベントは、ＩＰ処理エントリを設定するための命令を転送プレーンゲートウェイが事前設定された時間内に受信しない場合に生成され、ＩＰ処理エントリを設定するための命令は、アクションエントリを外側のトンネルカプセル化に設定し、ＩＰ処理エントリを、ダウンリンクパケットを受信する端末のアドレスと関連付けるよう転送プレーンゲートウェイに命令すべく使用される、動作を実行する。
【００７０】
本発明の実施形態の第７態様から本発明の実施形態の第７態様の第２実施方式のうちの何れか１つに係る制御プレーンゲートウェイデバイスを参照して、本発明の実施形態の第７態様の第３の実施方式において、
中央処理装置は具体的に以下の動作：
更新された位置エリアに位置する端末が、修正されたＩＰ処理エントリに対応しているグループエントリを使用することによってページングされ得るように、端末が現在の位置エリアから更新された位置エリアに移動したと決定された場合、更新された位置エリアに位置する端末に対応するＩＰ処理エントリを修正する動作を実行する。
【００７１】
本発明の実施形態の第７態様から本発明の実施形態の第７態様の第２実施方式のうちの何れか１つに係る制御プレーンゲートウェイデバイスを参照して、
中央処理装置は具体的に以下の動作：
端末のページングパラメータが変化したと決定された場合、そのページングパラメータが変化した端末に対応しているＩＰ処理エントリを修正し、ＩＰ処理エントリにバッファリングされた第１のページングメッセージを更新する動作を実行する。
【００７２】
本発明のページング方法において、転送プレーンゲートウェイは、ダウンリンクパケットに従って、第２のページングメッセージを少なくとも１つの基地局に送信する。第２のページングメッセージは、端末をページングするために使用される。従って、ＵＥをページングするのに制御プレーンゲートウェイは不要であり、これにより、制御プレーンゲートウェイと転送プレーンゲートウェイとの間のシグナリングインタワーキングが低減され、ページング遅延が短縮される。
【図面の簡単な説明】
【００７３】
【図１】既存の発展型ネットワークシステムの概略構造図である。
【００７４】
【図２】既存のページング方法の概略フローチャートである。
【００７５】
【図３】本発明の一実施形態に係る、ページング方法の実施形態の例の段階のフローチャートである。
【００７６】
【図４Ａ】本発明の一実施形態に係る、ページング方法の実施形態の別の例の段階のフローチャートである。
【図４Ｂ】本発明の一実施形態に係る、ページング方法の実施形態の別の例の段階のフローチャートである。
【００７７】
【図５Ａ】本発明の一実施形態に係る、ページング方法の実施形態の別の例の段階のフローチャートである。
【図５Ｂ】本発明の一実施形態に係る、ページング方法の実施形態の別の例の段階のフローチャートである。
【００７８】
【図６】本発明の一実施形態に係る、ページング方法の実施形態の例の段階のフローチャートである。
【００７９】
【図７】本発明の一実施形態に係る、ページング方法の実施形態の別の例の段階のフローチャートである。
【００８０】
【図８】本発明の一実施形態に係る、ページング方法の実施形態の別の例の段階のフローチャートである。
【００８１】
【図９】本発明の一実施形態に係る、ページング方法の実施形態の別の例の段階のフローチャートである。
【００８２】
【図１０】本発明の一実施形態に係る、ページング方法の実施形態の別の例の段階のフローチャートである。
【００８３】
【図１１】本発明の一実施形態に係る、転送プレーンゲートウェイデバイスの実施形態の例の概略構造図である。
【００８４】
【図１２】本発明の一実施形態に係る、転送プレーンゲートウェイデバイスの実施形態の別の例の概略構造図である。
【００８５】
【図１３】本発明の一実施形態に係る、制御プレーンゲートウェイデバイスの実施形態の例の概略構造図である。
【００８６】
【図１４】本発明の一実施形態に係る、制御プレーンゲートウェイデバイスの実施形態の別の例の概略構造図である。
【００８７】
【図１５】本発明の一実施形態に係る、制御プレーンゲートウェイデバイスの実施形態の別の例の概略構造図である。
【００８８】
【図１６】本発明の一実施形態に係る、転送プレーンゲートウェイデバイスの実施形態の別の例の概略構造図である。
【００８９】
【図１７】本発明の一実施形態に係る、制御プレーンゲートウェイデバイスの実施形態の別の例の概略構造図である。
【発明を実施するための形態】
【００９０】
本発明の実施形態に係る、ページング方法、関連デバイス、及びシステムを以下で詳細に説明する。ページング方法は、制御プレーンゲートウェイ、転送プレーンゲートウェイ、基地局、及びユーザ機器ＵＥを含むネットワークシステムに適用される。制御プレーンゲートウェイは、転送プレーンゲートウェイから分離されている。
【００９１】
図３に示されるように、ページング方法は以下の段階を含む。
【００９２】
３０１．転送プレーンゲートウェイがダウンリンクパケットを受信する。
【００９３】
転送プレーンゲートウェイは、ネットワーク側によって送信されたダウンリンクパケットを受信する。
【００９４】
３０２．転送プレーンゲートウェイが、ダウンリンクパケットに従って、第２のページングメッセージを少なくとも１つの基地局に送信する。
【００９５】
転送プレーンゲートウェイは、受信されたダウンリンクパケットに従って第２のページングメッセージを決定する。第２のページングメッセージが端末をページングできるのであれば、転送プレーンゲートウェイが具体的にどのようにして第２のページングメッセージを決定するかは、本実施形態において限定されない。
【００９６】
本実施形態に係る方法において、転送プレーンゲートウェイによって受信されたユーザパケットを使用することによって第２のページングメッセージが決定され、これにより、第２のページングメッセージを使用することによって、転送プレーンゲートウェイは端末をページングし、端末をページングするのに制御プレーンゲートウェイは必要ない。従って、ページング時間が低減される。
【００９７】
図４Ａ及び図４Ｂを参照すると、転送プレーンゲートウェイが具体的にどのようにして第２のページングメッセージを決定するかを以下で詳細に説明する。
【００９８】
４０１．転送プレーンゲートウェイが、制御プレーンゲートウェイによって送信されたグループエントリを受信する。
【００９９】
制御プレーンゲートウェイは、グループエントリが各位置エリアに対応するよう、位置エリア毎にグループエントリを構成する。
【０１００】
グループエントリは、位置エリアと一対一で対応してよい、又は、１つの位置エリアが複数のグループエントリに対応していてよい、又は、１つのグループエントリが複数の位置エリアに対応している。具体的な対応する方式は本実施形態において限定されない。
【０１０１】
端末に対応する基地局情報は、１又は複数の位置エリア内の基地局のアドレスであり、１又は複数の位置エリアは、端末の現在の位置エリアを含むことに留意されたい。
【０１０２】
本実施形態では、各グループエントリは１つの位置エリアに対応しており、各グループエントリは１つのグループエントリ識別子に対応している。
【０１０３】
グループエントリ識別子は本実施形態において限定されない。例えば、グループエントリ識別子は、トラッキングエリア識別情報（ＴＡＩ）又はルーティングエリア識別情報（ＲＡＩ）であってよい。本実施形態の例では、グループエントリ識別子はトラッキングエリア識別情報（ＴＡＩ）である。
【０１０４】
表１に示されるように、表１はグループエントリのフォーマットを示す。表１から、モバイルネットワークは２つのＴＡＩを含むことが分かる。ＴＡＩ１によって表される位置エリアは、基地局ａ及び基地局ｂを含み、ＴＡＩ２によって表される位置エリアは基地局ｃ、基地局ｄ、及び基地局ｅを含む。
【表１】
0006499283.tif 000002
【０１０５】
グループエントリ識別子は、グループエントリにインデックスを付けるべく使用される。アクションエントリセットは、端末をページングするために使用されるページングメッセージに対して実行される動作を含む。基地局ａのためのアクションエントリに含まれるアクションは、第１のページングメッセージの宛先ＭＡＣアドレスを基地局ａのＭＡＣアドレスに設定すること、第１のページングメッセージの発信元ＭＡＣアドレスを転送プレーンゲートウェイデバイスのＭＡＣアドレスに設定すること、第１のページングメッセージの宛先ＩＰアドレスを基地局ａのＩＰアドレスに設定すること、第１のページングメッセージの発信元ＩＰアドレスを転送プレーンゲートウェイデバイスのＩＰアドレスに設定すること、及び、第１のページングメッセージをポート１から出力することであってよい（基地局ａは、ポート１を使用することによって転送プレーンゲートウェイに接続されていると仮定する）。同様に、別の基地局Ｘのためのアクションエントリに含まれるアクションは、第１のページングメッセージの宛先ＭＡＣアドレスを基地局ＸのＭＡＣアドレスに設定すること、第１のページングメッセージの発信元ＭＡＣアドレスを転送プレーンゲートウェイデバイスのＭＡＣアドレスに設定すること、第１のページングメッセージの宛先ＩＰアドレスを基地局ＸのＩＰアドレスに設定すること、第１のページングメッセージの発信元ＩＰアドレスを転送プレーンゲートウェイデバイスのＩＰアドレスに設定すること、及び、第１のページングメッセージをポートＹから出力することであってよい（基地局Ｘは、ポートＹを使用することによって転送プレーンゲートウェイに接続されていると仮定する）。
【０１０６】
本明細書におけるアクションエントリは一意でないことが指摘されるべきである。ページングメッセージがカプセル化されるのみであり、転送されない場合、第１のページングメッセージの宛先ＩＰアドレスを基地局のＩＰアドレスに設定することだけが必要とされ、これにより、要件が満たされる。別の転送テーブルを使用することによって、宛先ＩＰアドレスに従って、次にピアエンドのＭＡＣアドレス及び出力ポートなどの情報が決定されてよい。加えて、アクションエントリはまた、例えば、ＶＬＡＮ識別子の追加又はＭＰＬＳラベルの追加といった、他のＬ２及びＬ３ヘッダフィールドのための修正アクションを含んでよく、ＭＡＣアドレス及びＩＰアドレスのみを修正することに限定されない。
【０１０７】
４０２．転送プレーンゲートウェイが、制御プレーンゲートウェイによって送信されたＩＰ処理エントリを受信する。
【０１０８】
本実施形態において、ＵＥがアイドル状態に入った後、基地局はユーザコンテキスト解放メッセージを制御プレーンゲートウェイに送信して、制御状態に入るようＵＥに命令する。この場合、制御プレーンゲートウェイは、ＵＥの現在の位置エリアを決定する。位置エリアは、トラッキング位置エリア又はルーティング位置エリアを含む。本実施形態において、制御プレーンゲートウェイは、ＴＡＩ１によって表された位置エリアにＵＥが位置していると決定する。
【０１０９】
制御プレーンゲートウェイは、それに応じて、ＵＥの位置エリアに従って、ＩＰ処理エントリを再構成する。
【０１１０】
制御プレーンゲートウェイがＩＰ処理エントリを修正する前のＩＰ処理エントリが、表２に示される。
【表２】
0006499283.tif 000003
【０１１１】
制御プレーンゲートウェイがＩＰ処理エントリを修正した後のＩＰ処理エントリが、表３に示される。
【表３】
0006499283.tif 000004
【０１１２】
本実施形態において、ＩＰ処理エントリ内のマッチエントリは、ＵＥのＩＰアドレスであってよい。
【０１１３】
ＩＰ処理エントリを修正する場合、制御プレーンゲートウェイは、ＩＰアドレスのダウンリンクトンネルをカプセル化する動作を削除し、ＵＥのためのＩＰ処理エントリをＵＥのためのグループエントリと関連付ける。
【０１１４】
本実施形態において、ＩＰ処理エントリとグループエントリとの間の対応関係は、グループエントリ識別子を使用することによって確立される。すなわち、ＩＰ処理エントリは、ＵＥの位置エリアに対応しているグループエントリ識別子を含む。
【０１１５】
本実施形態において、グループエントリ識別子１に対応する位置エリアにＵＥが位置すると制御プレーンゲートウェイが決定するので、ＩＰ処理エントリを修正する場合、制御プレーンゲートウェイは、グループエントリ識別子１をＩＰ処理エントリに追加する。
【０１１６】
本実施形態において、第１のページングメッセージは、制御プレーンゲートウェイによってＵＥに届けられるページングメッセージである。本実施形態において、第１のページングメッセージの具体的な数は限定されない。すなわち、転送プレーンゲートウェイは、同時に少なくとも１つの端末をページングしてよい。
【０１１７】
４０３．転送プレーンゲートウェイが、制御プレーンゲートウェイによって送信された第１のページングメッセージを受信する。
【０１１８】
転送プレーンゲートウェイによって受信された第１のページングメッセージは、ＵＥのための（Ｓ‐ＴＭＳＩなどの）ページング識別子、及び、ページングのために基地局によって必要とされるページングインデックスなどの情報を含んでよい。
【０１１９】
任意選択で、ページングメッセージは、Ｌ２ヘッダ又はＬ３ヘッダのいくつかの情報、例えば、発信元ＭＡＣアドレス又は発信元ＩＰアドレスを含んでよい。当該情報は、位置エリア内の全ての基地局に対して同一である。
【０１２０】
４０４．転送プレーンゲートウェイが、それに応じて、ＩＰ処理エントリに第１のページングメッセージを保存する。
【０１２１】
第１のページングメッセージの受信後、転送プレーンゲートウェイは、表３に示されたＩＰ処理エントリ内のコンテンツ記憶エントリに第１のページングメッセージを保存してよい。
【０１２２】
４０５．転送プレーンゲートウェイが、ネットワーク側からＵＥのためのダウンリンクパケットを受信する。
【０１２３】
転送プレーンゲートウェイは、ダウンリンクパケットの受信後、ダウンリンクパケットをバッファリングしてよい。
【０１２４】
４０６．転送プレーンゲートウェイがタイマーを開始する。
【０１２５】
転送プレーンゲートウェイはタイマーを開始し、時間の測定を開始する。
【０１２６】
４０７．転送プレーンゲートウェイがダウンリンクパケットの宛先アドレスを決定する。
【０１２７】
４０８．転送プレーンゲートウェイが、ダウンリンクパケットの宛先アドレスに従って、第２のページングメッセージの宛先アドレスを決定する。
【０１２８】
転送プレーンゲートウェイが第２のページングメッセージの宛先アドレスを決定する具体的なプロセスを以下で示す。
【０１２９】
４０８１．転送プレーンゲートウェイが、マッチエントリを使用することによって、ダウンリンクパケットの宛先アドレスに従って、ＩＰ処理エントリをマッチングする。
【０１３０】
具体的には、ダウンリンクパケットの宛先アドレスが、ＩＰ処理エントリ内のマッチエントリ内の宛先ＩＰアドレスと同一であると転送プレーンゲートウェイが決定した場合、転送プレーンゲートウェイはＩＰ処理エントリをマッチングできる。
【０１３１】
４０８２．転送プレーンゲートウェイは、マッチングされたＩＰ処理エントリに従って、対応するグループエントリを決定する。
【０１３２】
本実施形態において、転送プレーンゲートウェイは、表３に示すＩＰ処理エントリに従って、対応するグループエントリのグループエントリ識別子は１であると決定してよい。
【０１３３】
４０８３．転送プレーンゲートウェイは、第１のページングメッセージを、ＵＥに対応する位置エリアのグループエントリに出力する。
【０１３４】
本実施形態において、転送プレーンゲートウェイは、第１のページングメッセージを、そのグループエントリ識別子が１であるグループエントリに出力する。
【０１３５】
４０８４．転送プレーンゲートウェイは、グループエントリに対応するアクションエントリを実行する。
【０１３６】
本実施形態において、転送プレーンゲートウェイは、表１に示すようなグループエントリ１に対応するアクションエントリを実行する。
【０１３７】
ＵＥに対応する位置エリアのグループエントリに第１のページングメッセージを出力し、ＵＥに対応する位置エリア内の基地局のアドレスを得た後、転送プレーンゲートウェイは、グループエントリに出力された第１のページングメッセージの宛先アドレスを、ＵＥに対応する位置エリアのグループエントリに従って、ＵＥに対応する位置エリア内の基地局のアドレスに設定し、これにより、第２のページングメッセージを形成する。
【０１３８】
グループエントリに出力された第１のページングメッセージを、アクションエントリに従って第２のページングメッセージに変更することは、第１のページングメッセージの宛先アドレスを、第２のページングメッセージの、アクションエントリに含まれる宛先アドレスに変更することである。
【０１３９】
具体的には、グループエントリに出力された第１のページングメッセージの宛先ＩＰアドレスは、ＵＥに対応する位置エリア内の基地局のＩＰアドレスに設定され、グループエントリに出力された第１のページングメッセージの発信元ＩＰアドレスは、転送プレーンゲートウェイのＩＰアドレスに設定され、グループエントリに出力された第１のページングメッセージの宛先ＭＡＣアドレスは、ＵＥに対応する位置エリア内の基地局のＭＡＣアドレスに設定され、グループエントリに出力された第１のページングメッセージの発信元ＭＡＣアドレスは、転送プレーンゲートウェイのＭＡＣアドレスに設定され、出力ポートは、グループエントリに出力された第１のページングメッセージのために選択され、当該出力ポートは、転送プレーンゲートウェイと、ＵＥに対応する位置エリア内の基地局とを接続するためのポートである。
【０１４０】
すなわち、第２のページングメッセージは、その宛先アドレスがアクションエントリに従って変更された第１のページングメッセージである。
【０１４１】
４０９．第２のページングメッセージを送信する。
【０１４２】
具体的には、転送プレーンゲートウェイが、グループエントリに出力された第１のページングメッセージの宛先アドレスを、ＵＥに対応する位置エリアのグループエントリに従って、ＵＥに対応する位置エリア内の基地局のアドレスに設定した後、転送プレーンゲートウェイは、ＵＥに対応する位置エリア内の基地局のアドレスに従って、第２のページングメッセージを位置エリア内の基地局に送信する。
【０１４３】
本実施形態における表１に示すグループエントリは、一例として使用される。ＵＥに対応する位置エリアはグループエントリ１に対応しており、第１のページングメッセージは、対応するグループエントリ１に送信される。第１のページングメッセージの宛先ＭＡＣアドレス及び宛先ＩＰアドレスは、グループエントリ１の２つのアクションエントリに従って、基地局ａのアドレスに、及び基地局ｂのアドレスに別個に設定され、ページングメッセージは、転送プレーンゲートウェイを基地局ａ及び基地局ｂに接続するためのポートから送信される。転送プレーンゲートウェイは、第２のページングメッセージを基地局ａ及び基地局ｂの各々に送信する。第２のページングメッセージは、同一のページングメッセージボディを有するが、基地局ａに送信された第２のページングメッセージの宛先ＭＡＣアドレス及び宛先ＩＰアドレスは、基地局ａのアドレスであり、基地局ｂに送信された第２のページングメッセージの宛先ＭＡＣアドレス及び宛先ＩＰアドレスは、基地局ｂのアドレスである。第２のページングメッセージの受信後、基地局ａ及び基地局ｂは、第２のページングメッセージ内のユーザ識別子及びページングインデックスなどの情報に従ってＵＥをページングする。
【０１４４】
基地局ａ及び基地局ｂから第２のページングメッセージを受信した後、ＵＥは第２のページングメッセージに応答し、基地局ａ及び基地局ｂを使用することによってサービス要求を制御プレーンゲートウェイに送信し、再びアクティブ状態に入る。
【０１４５】
第２のページングメッセージを位置エリア内の基地局に送信した後、ＵＥは、基地局を使用することによってサービス要求を制御プレーンゲートウェイに送信する。
【０１４６】
４１０．制御プレーンゲートウェイによって送信された、ＩＰ処理エントリを設定するための命令が、事前設定された時間内に受信されたかどうかを転送プレーンゲートウェイが判断し、事前設定された時間内に受信された場合、段階４１１を実行する、又は、事前設定された時間内に受信されない場合、段階４１３を実行する。
【０１４７】
４１１．ＩＰ処理エントリ内のアクションエントリを更新する。
【０１４８】
具体的には、制御プレーンゲートウェイは、サービス要求に従って、ＩＰ処理エントリを設定するための命令を転送プレーンゲートウェイに送信する。ＩＰ処理エントリを設定するための命令は、ＵＥのＩＰ処理エントリ内のアクションエントリを外側のトンネルカプセル化に設定するために使用される。
【０１４９】
転送プレーンゲートウェイは、ＩＰ処理エントリを設定するための命令を受信し、ＩＰ処理エントリを設定するための命令に従って、ＵＥのＩＰ処理エントリ内のアクションエントリを外側のトンネルカプセル化に設定する。
【０１５０】
４１２．ダウンリンクパケットを送信する。
【０１５１】
具体的には、ＵＥのＩＰ処理エントリ内のアクションエントリを外側のトンネルカプセル化に設定した後、転送プレーンゲートウェイは、ＵＥのＩＰ処理エントリに従ってダウンリンクパケットをカプセル化し、位置エリア内にある基地局を使用することによって、バッファリングされたダウンリンクパケットをＵＥに送信する。
【０１５２】
要するに、制御プレーンゲートウェイが、基地局を使用することによってＵＥにより送信されたサービス要求を受信した場合、制御プレーンゲートウェイは、転送プレーンゲートウェイにおけるＵＥのＩＰ処理エントリを更新し、これにより、転送プレーンゲートウェイは、ＵＥのＩＰ処理エントリに対し、ダウンリンクトンネルカプセル化アクションを再生成する。このプロセスにおいて、ＵＥのＩＰ処理エントリに格納された第１のページングメッセージは削除されてよい。
【０１５３】
４１３．転送プレーンゲートウェイが、ページングタイムアウトイベントを制御プレーンゲートウェイに報告する。
【０１５４】
転送プレーンゲートウェイは、ページングタイムアウトイベントを制御プレーンゲートウェイに報告し、これにより、制御プレーンゲートウェイは、ＵＥのＩＰ処理エントリを削除するための命令を転送プレーンゲートウェイに送信する。
【０１５５】
４１４．転送プレーンゲートウェイが、制御プレーンゲートウェイによって送信された、端末のＩＰ処理エントリを削除するための命令を受信する。
【０１５６】
４１５．転送プレーンゲートウェイがＵＥのＩＰ処理エントリを削除し、ダウンリンクパケットを解放する。
【０１５７】
本実施形態から分かるように、ＵＥがアイドル状態に入った後、ダウンリンクパケットが直接トリガになり転送プレーンゲートウェイに第２のページングメッセージを基地局に送信させ、転送プレーンゲートウェイは、ページングメッセージをもたらすよう制御プレーンゲートウェイに命令する必要はない。従って、制御プレーンゲートウェイと転送プレーンゲートウェイとの間のシグナリングインタワーキングが低減され、ページング遅延が短縮される。
【０１５８】
本実施形態において、ＩＰ処理エントリは複数のグループエントリと関連付けられてよい。ＩＰ処理エントリが複数のグループエントリと関連付けられ得ない場合、ＩＰ処理エントリはまず、集中型のグループエントリと関連付けられてよい。集中型のグループエントリは、複数のグループエントリに対応している。以下で、そのようなケースを具体的に説明する。
【０１５９】
図４Ａ及び図４Ｂに示した実施形態によると、ＵＥに対応する位置エリアのグループエントリであり、ＵＥのＩＰ処理エントリと関連付けられたグループエントリは、含まれたアクションセットに対応する１つのグループエントリであってよい。図５Ａ及び図５Ｂに示した実施形態に関する以下の説明において、ＵＥに対応する位置エリアのグループエントリであり、ＵＥのＩＰ処理エントリと関連付けられたグループエントリは、含まれたアクションセットに対応する複数のグループエントリであってよい。
【０１６０】
５０１．転送プレーンゲートウェイが、制御プレーンゲートウェイによって送信されたグループエントリを受信する。
【０１６１】
制御プレーンゲートウェイは、グループエントリが各位置エリアに対応するよう、位置エリア毎にグループエントリを構成する。
【０１６２】
グループエントリは、位置エリアと一対一で対応してよい、又は、１つの位置エリアが複数のグループエントリに対応していてよい、又は、１つのグループエントリが複数の位置エリアに対応している。具体的な対応する方式は本実施形態において限定されない。
【０１６３】
端末に対応する基地局情報は、１又は複数の位置エリア内の基地局のアドレスであり、１又は複数の位置エリアは、端末の現在の位置エリアを含むことに留意されたい。
【０１６４】
本実施形態では、各グループエントリは１つの位置エリアに対応しており、各グループエントリは１つのグループエントリ識別子に対応している。
【０１６５】
グループエントリ識別子は本実施形態において限定されない。例えば、グループエントリ識別子は、トラッキングエリア識別情報（ＴＡＩ）又はルーティングエリア識別情報（ＲＡＩ）であってよい。本実施形態の例では、グループエントリ識別子はトラッキングエリア識別情報（ＴＡＩ）である。
【０１６６】
本実施形態において、転送プレーンゲートウェイによって受信されたグループエントリは、表４に示されてよい。
【表４】
0006499283.tif 000005
【０１６７】
グループエントリ３のアクションエントリセットは、２つのアクションエントリを含む。２つのアクションエントリは、グループエントリ１及びグループエントリ２に別個に対応している。
【０１６８】
グループエントリ識別子は、グループエントリにインデックスを付けるべく使用される。アクションエントリセットは、端末をページングするために使用されるページングメッセージに対して実行される動作を含む。基地局ａのためのアクションエントリに含まれるアクションは、第１のページングメッセージの宛先ＭＡＣアドレスを基地局ａのＭＡＣアドレスに設定すること、第１のページングメッセージの発信元ＭＡＣアドレスを転送プレーンゲートウェイデバイスのＭＡＣアドレスに設定すること、第１のページングメッセージの宛先ＩＰアドレスを基地局ａのＩＰアドレスに設定すること、第１のページングメッセージの発信元ＩＰアドレスを転送プレーンゲートウェイデバイスのＩＰアドレスに設定すること、及び、第１のページングメッセージをポート１から出力することであってよい（基地局ａは、ポート１を使用することによって転送プレーンゲートウェイに接続されていると仮定する）。同様に、別の基地局Ｘのためのアクションエントリに含まれるアクションは、第１のページングメッセージの宛先ＭＡＣアドレスを基地局ＸのＭＡＣアドレスに設定すること、第１のページングメッセージの発信元ＭＡＣアドレスを転送プレーンゲートウェイデバイスのＭＡＣアドレスに設定すること、第１のページングメッセージの宛先ＩＰアドレスを基地局ＸのＩＰアドレスに設定すること、第１のページングメッセージの発信元ＩＰアドレスを転送プレーンゲートウェイデバイスのＩＰアドレスに設定すること、及び、第１のページングメッセージをポートＹから出力することであってよい（基地局Ｘは、ポートＹを使用することによって転送プレーンゲートウェイに接続されていると仮定する）。
【０１６９】
本明細書におけるアクションエントリは一意でないことが指摘されるべきである。ページングメッセージがカプセル化されるのみであり、転送されない場合、第１のページングメッセージの宛先ＩＰアドレスを基地局のＩＰアドレスに設定することだけが必要とされ、これにより、要件が満たされる。別の転送テーブルを使用することによって、宛先ＩＰアドレスに従って、次にピアエンドのＭＡＣアドレス及び出力ポートなどの情報が決定されてよい。加えて、アクションエントリはまた、例えば、ＶＬＡＮ識別子の追加又はＭＰＬＳラベルの追加といった、他のＬ２及びＬ３ヘッダフィールドのための修正アクションを含んでよく、ＭＡＣアドレス及びＩＰアドレスのみを修正することに限定されない。
【０１７０】
５０２．転送プレーンゲートウェイが、制御プレーンゲートウェイによって送信されたＩＰ処理エントリを受信する。
【０１７１】
本実施形態において、ＵＥがアイドル状態に入った後、基地局はユーザコンテキスト解放メッセージを制御プレーンゲートウェイに送信して、制御状態に入るようＵＥに命令する。この場合、制御プレーンゲートウェイは、ＵＥの現在の位置エリアを決定する。位置エリアは、トラッキング位置エリア又はルーティング位置エリアを含む。本実施形態において、制御プレーンゲートウェイは、グループエントリ識別子３によって表された位置エリアにＵＥが位置していると決定する。本実施形態において、グループエントリ識別子３に対応するグループエントリは、集中型のグループエントリである。すなわち、集中型のグループエントリは、複数のトラッキング位置エリアに対応している。
【０１７２】
制御プレーンゲートウェイがＩＰ処理エントリを修正した後のＩＰ処理エントリは、表５に示される。
【表５】
0006499283.tif 000006
【０１７３】
本実施形態において、ＩＰ処理エントリ内のマッチエントリは、ＵＥのＩＰアドレスであってよい。
【０１７４】
すなわち、制御プレーンゲートウェイは、ＩＰアドレスのダウンリンクトンネルをカプセル化する動作を削除し、ＵＥのためのＩＰ処理エントリをＵＥのためのグループエントリと関連付ける。
【０１７５】
本実施形態において、グループエントリ識別子３に対応する位置エリアにＵＥが位置すると制御プレーンゲートウェイが決定するので、ＩＰ処理エントリを修正する場合、制御プレーンゲートウェイは、グループエントリ識別子３をＩＰ処理エントリに追加する。
【０１７６】
本実施形態において、ＩＰ処理エントリとグループエントリとの間の対応関係は、グループエントリ識別子を使用することによって確立される。すなわち、ＩＰ処理エントリは、ＵＥの位置エリアに対応しているグループエントリ識別子を含む。本実施形態の例において、グループエントリ識別子は３である。
【０１７７】
本実施形態において、第１のページングメッセージは、制御プレーンゲートウェイによってＵＥに届けられるページングメッセージである。本実施形態において、第１のページングメッセージの具体的な数は限定されない。すなわち、転送プレーンゲートウェイは、同時に少なくとも１つの端末をページングしてよい。
【０１７８】
５０３．転送プレーンゲートウェイが、制御プレーンゲートウェイによって送信された第１のページングメッセージを受信する。
【０１７９】
転送プレーンゲートウェイによって受信された第１のページングメッセージは、ＵＥのための（Ｓ‐ＴＭＳＩなどの）ページング識別子、及び、ページングのために基地局によって必要とされるページングインデックスなどの情報を含んでよい。
【０１８０】
任意選択で、ページングメッセージは、Ｌ２ヘッダ又はＬ３ヘッダのいくつかの情報、例えば、発信元ＭＡＣアドレス又は発信元ＩＰアドレスを含んでよい。当該情報は、位置エリア内の全ての基地局に対して同一である。
【０１８１】
５０４．転送プレーンゲートウェイが、それに応じて、ＩＰ処理エントリに第１のページングメッセージを保存する。
【０１８２】
第１のページングメッセージの受信後、転送プレーンゲートウェイは、表５に示されたＩＰ処理エントリ内のコンテンツ記憶エントリに第１のページングメッセージを保存してよい。
【０１８３】
５０５．転送プレーンゲートウェイが、ネットワーク側からＵＥのためのダウンリンクパケットを受信する。
【０１８４】
転送プレーンゲートウェイは、ダウンリンクパケットの受信後、ダウンリンクパケットをバッファリングしてよい。
【０１８５】
５０６．転送プレーンゲートウェイがタイマーを開始する。
【０１８６】
転送プレーンゲートウェイはタイマーを開始し、時間の測定を開始する。
【０１８７】
５０７．転送プレーンゲートウェイがダウンリンクパケットの宛先アドレスを決定する。
【０１８８】
５０８．転送プレーンゲートウェイが、ダウンリンクパケットの宛先アドレスに従って、第２のページングメッセージの宛先アドレスを決定する。
【０１８９】
転送プレーンゲートウェイが第２のページングメッセージの宛先アドレスを決定する具体的なプロセスを以下で示す。
【０１９０】
５０８１．転送プレーンゲートウェイが、マッチエントリを使用することによって、ダウンリンクパケットの宛先アドレスに従って、ＩＰ処理エントリをマッチングする。
【０１９１】
具体的には、ダウンリンクパケットの宛先アドレスが、ＩＰ処理エントリ内のマッチエントリ内の宛先ＩＰアドレスと同一であると転送プレーンゲートウェイが決定した場合、転送プレーンゲートウェイは、対応するＩＰ処理エントリをマッチングできる。
【０１９２】
５０８２．転送プレーンゲートウェイは、マッチングされたＩＰ処理エントリに従って、対応するグループエントリを決定する。
【０１９３】
本実施形態において、転送プレーンゲートウェイは、表５に示すＩＰ処理エントリに従って、対応するグループエントリのグループエントリ識別子は３であると決定してよい。
【０１９４】
５０８３．転送プレーンゲートウェイは、第１のページングメッセージを、ＵＥに対応する位置エリアのグループエントリに出力する。
【０１９５】
本実施形態において、転送プレーンゲートウェイは、第１のページングメッセージを、そのグループエントリ識別子が３であるグループエントリに出力する。
【０１９６】
５０８４．転送プレーンゲートウェイは、グループエントリに対応するアクションエントリを実行する。
【０１９７】
本実施形態において、転送プレーンゲートウェイは、表４に示すようなグループエントリ３に対応するアクションエントリを実行する。
【０１９８】
ＵＥに対応する位置エリアのグループエントリに第１のページングメッセージを出力し、ＵＥに対応する位置エリア内の基地局のアドレスを得た後、転送プレーンゲートウェイは、グループエントリに出力された第１のページングメッセージの宛先アドレスを、ＵＥに対応する位置エリアのグループエントリに従って、ＵＥに対応する位置エリア内の基地局のアドレスに設定し、これにより、第２のページングメッセージを形成する。
【０１９９】
グループエントリに出力された第１のページングメッセージを、アクションエントリに従って第２のページングメッセージに変更することは、第１のページングメッセージの宛先アドレスを、第２のページングメッセージの、アクションエントリに含まれる宛先アドレスに変更することである。
【０２００】
具体的には、グループエントリに出力された第１のページングメッセージの宛先ＩＰアドレスは、ＵＥに対応する位置エリア内の基地局のＩＰアドレスに設定され、グループエントリに出力された第１のページングメッセージの発信元ＩＰアドレスは、転送プレーンゲートウェイのＩＰアドレスに設定され、グループエントリに出力された第１のページングメッセージの宛先ＭＡＣアドレスは、ＵＥに対応する位置エリア内の基地局のＭＡＣアドレスに設定され、グループエントリに出力された第１のページングメッセージの発信元ＭＡＣアドレスは、転送プレーンゲートウェイのＭＡＣアドレスに設定され、出力ポートは、グループエントリに出力された第１のページングメッセージのために選択され、当該出力ポートは、転送プレーンゲートウェイと、ＵＥに対応する位置エリア内の基地局とを接続するためのポートである。
【０２０１】
すなわち、第２のページングメッセージは、その宛先アドレスがアクションエントリに従って変更された第１のページングメッセージである。
【０２０２】
５０９．第２のページングメッセージを送信する。
【０２０３】
具体的には、転送プレーンゲートウェイが、グループエントリに出力された第１のページングメッセージの宛先アドレスを、ＵＥに対応する位置エリアのグループエントリに従って、ＵＥに対応する位置エリア内の基地局のアドレスに設定した後、転送プレーンゲートウェイは、ＵＥに対応する位置エリア内の基地局のアドレスに従って、第２のページングメッセージを位置エリア内の基地局に送信する。
【０２０４】
本実施形態における表４に示すグループエントリは、一例として使用される。ＵＥに対応する位置エリアはグループエントリ３に対応しており、第１のページングメッセージは、対応するグループエントリ１及びグループエントリ２に送信される。第１のページングメッセージの宛先ＭＡＣアドレス及び宛先ＩＰアドレスは、グループエントリ１の２つのアクションエントリに従って、基地局ａのアドレスに、及び基地局ｂのアドレスに別個に設定され、ページングメッセージは、転送プレーンゲートウェイを基地局ａ及び基地局ｂに接続するためのポートから送信される。グループエントリ２の３つのアクションエントリに従って、第１のページングメッセージの宛先ＭＡＣアドレス及び宛先ＩＰアドレスは、基地局ｃのアドレスに、基地局ｄのアドレスに、及び、基地局ｅのアドレスに別個に設定され、ページングメッセージは、転送プレーンゲートウェイを基地局ｃ、基地局ｄ、及び基地局ｅに接続するためのポートから送信される。
【０２０５】
第２のページングメッセージの受信後、基地局ａ、基地局ｂ、基地局ｃ、基地局ｄ、及び基地局ｅは、第２のページングメッセージ内のユーザ識別子及びページングインデックスなどの情報に従ってＵＥをページングする。
【０２０６】
基地局ａ、基地局ｂ、基地局ｃ、基地局ｄ、及び基地局ｅから第２のページングメッセージを受信した後、ＵＥは第２のページングメッセージに応答し、基地局ａ、基地局ｂ、基地局ｃ、基地局ｄ、及び基地局ｅを使用することによって、サービス要求を制御プレーンゲートウェイに送信し、再びアクティブ状態に入る。
【０２０７】
第２のページングメッセージを位置エリア内の基地局に送信した後、ＵＥは、基地局を使用することによってサービス要求を制御プレーンゲートウェイに送信する。
【０２０８】
５１０．制御プレーンゲートウェイによって送信された、ＩＰ処理エントリを設定するための命令が、事前設定された時間内に受信されたかどうかを転送プレーンゲートウェイが判断し、事前設定された時間内に受信された場合、段階５１１を実行する、又は、事前設定された時間内に受信されない場合、段階５１３を実行する。
【０２０９】
５１１．ＩＰ処理エントリ内のアクションエントリを更新する。
【０２１０】
５１２．ダウンリンクパケットを送信する。
【０２１１】
５１３．転送プレーンゲートウェイが、ページングタイムアウトイベントを制御プレーンゲートウェイに報告する。
【０２１２】
５１４．転送プレーンゲートウェイが、制御プレーンゲートウェイによって送信された、端末のＩＰ処理エントリを削除するための命令を受信する。
【０２１３】
５１５．転送プレーンゲートウェイがＵＥのＩＰ処理エントリを削除し、ダウンリンクパケットを解放する。
【０２１４】
本実施形態の段階５０９から段階５１５のプロセスは、図４Ａ及び図４Ｂに示した段階４０９から段階４１５のプロセスと同一である。本実施形態において詳細は記載しない。
【０２１５】
本実施形態から分かるように、ＵＥがアイドル状態に入った後、ダウンリンクパケットが直接トリガになり転送プレーンゲートウェイに第２のページングメッセージを基地局に送信させ、転送プレーンゲートウェイは、ページングメッセージをもたらすよう制御プレーンゲートウェイに命令する必要はない。従って、制御プレーンゲートウェイと転送プレーンゲートウェイとの間のシグナリングインタワーキングが低減され、ページング遅延が短縮される。
【０２１６】
本明細書において更に留意されるべきことは、ＵＥがアイドル状態に入った後、ＵＥは１つの位置エリアから新たな位置エリアに移動してよい、すなわち、ＵＥは現在の位置エリアから更新された位置エリアに移動するので、ＵＥの現在の位置エリアを正確に決定するために、ＵＥが更新された位置エリアにアイドル状態で移動した場合は、ＵＥは、更新された位置エリア内の基地局に対し、位置更新手順を開始し、制御プレーンゲートウェイに対し、ＵＥの現在の位置エリアを更新する。制御プレーンゲートウェイは、ＵＥの現在の位置エリアに従って、ＵＥのグループエントリとＩＰ処理エントリとの間の対応関係であり、転送プレーンゲートウェイにおける対応関係を更新し、ＵＥのＩＰ処理エントリを、新たな位置エリアに対応するグループエントリと関連付ける。
【０２１７】
ＵＥが新たな位置エリアに入り、ページングパラメータが変化した場合、制御プレーンゲートウェイは転送プレーンゲートウェイにおけるページングメッセージを更新する必要がある。後続のダウンリンクパケットが到着した後、転送プレーンゲートウェイは、ＵＥのグループエントリとＩＰ処理エントリとの間の修正された対応関係に従って、ページングメッセージを新たな位置エリア内の基地局に送信してよい。
【０２１８】
制御プレーンゲートウェイは常に、ＵＥの現在の位置エリアをトラッキングできるので、制御プレーンゲートウェイは転送プレーンゲートウェイを制御して、ＵＥのグループエントリとＩＰ処理エントリとの間の対応関係を対応して修正することができ、これにより、転送プレーンゲートウェイは、ページングメッセージをＵＥの現在の位置エリア内の基地局に送信できる。
【０２１９】
図６に示した実施形態を参照して、制御プレーンゲートウェイがページング方法をどのようにして実施するかを以下で説明する。
【０２２０】
６０１．制御プレーンゲートウェイが、グループエントリ及びＩＰ処理エントリを転送プレーンゲートウェイに送信する。
【０２２１】
具体的には、グループエントリはＩＰ処理エントリに対応している。
【０２２２】
より具体的には、制御プレーンゲートウェイはＩＰ処理エントリを転送プレーンゲートウェイに送信し、これにより、ネットワーク側によって送信されたダウンリンクパケットを受信した場合、転送プレーンゲートウェイは、ダウンリンクパケットの宛先アドレスに従って、ダウンリンクパケットに対応するＩＰ処理エントリを決定してよく、転送プレーンゲートウェイは、対応するＩＰ処理エントリに対応するグループエントリを決定する。
【０２２３】
グループエントリは、第１のページングメッセージをカプセル化するよう転送プレーンゲートウェイに命令すべく、制御プレーンゲートウェイによって使用される。
【０２２４】
６０２．制御プレーンゲートウェイが、第１のページングメッセージを転送プレーンゲートウェイに送信する。
【０２２５】
制御プレーンゲートウェイは第１のページングメッセージを転送プレーンゲートウェイに送信し、これにより、転送プレーンゲートウェイは、決定されたグループエントリに従って第１のページングメッセージをカプセル化する、すなわち、転送プレーンゲートウェイは、グループエントリ及びＩＰ処理エントリに従って、第１のページングメッセージを第２のページングメッセージに変更する。第２のページングメッセージは、端末をページングするために使用される。
【０２２６】
本実施形態に係る方法において、制御プレーンゲートウェイは、グループエントリと、グループエントリに対応するＩＰ処理エントリとを転送プレーンゲートウェイに送信し、第１のページングメッセージを送信する。転送プレーンゲートウェイは、グループエントリ及びＩＰ処理エントリに従って、第１のページングメッセージを第２のページングメッセージに変更し、これにより、転送プレーンゲートウェイは、第２のページングメッセージを使用することによって端末をページングし、端末をページングするのに制御プレーンゲートウェイは必要ない。従って、ページング時間が低減される。
【０２２７】
図７に示した実施形態を参照して、具体的にどのようにして制御プレーンゲートウェイが、端末をページングするよう転送プレーンゲートウェイに命令するかを以下で詳細に説明する。
【０２２８】
７０１．制御プレーンゲートウェイがグループエントリを生成する。
【０２２９】
制御プレーンゲートウェイは、グループエントリが各位置エリアに対応するよう、位置エリア毎にグループエントリを構成する。
【０２３０】
グループエントリは、位置エリアと一対一で対応してよい、又は、１つの位置エリアが複数のグループエントリに対応していてよい、又は、１つのグループエントリが複数の位置エリアに対応している。具体的な対応する方式は本実施形態において限定されない。
【０２３１】
端末に対応する基地局情報は、１又は複数の位置エリア内の基地局のアドレスであり、１又は複数の位置エリアは、端末の現在の位置エリアを含むことに留意されたい。
【０２３２】
本実施形態では、各グループエントリは１つの位置エリアに対応しており、各グループエントリは１つのグループエントリ識別子に対応している。
【０２３３】
グループエントリ識別子は本実施形態に限定されない。例えば、グループエントリ識別子は、トラッキングエリア識別情報（ＴＡＩ）又はルーティングエリア識別情報（ＲＡＩ）であってよい。本実施形態の例では、グループエントリ識別子はトラッキングエリア識別情報（ＴＡＩ）である。
【０２３４】
制御プレーンゲートウェイによって生成されたグループエントリのフォーマットについては、表６が参照されてよい。
【０２３５】
表６に示されるように、表６はグループエントリのフォーマットを示す。表６から分かるように、モバイルネットワークは２つのＴＡＩを含む。ＴＡＩ１によって表される位置エリアは、基地局ａ及び基地局ｂを含み、ＴＡＩ２によって表される位置エリアは基地局ｃ、基地局ｄ、及び基地局ｅを含む。
【表６】
0006499283.tif 000007
【０２３６】
グループエントリ識別子は、グループエントリにインデックスを付けるべく使用される。アクションエントリセットは、端末をページングするために使用されるページングメッセージに対して実行される動作を含む。基地局ａのためのアクションエントリに含まれるアクションは、第１のページングメッセージの宛先ＭＡＣアドレスを基地局ａのＭＡＣアドレスに設定すること、第１のページングメッセージの発信元ＭＡＣアドレスを転送プレーンゲートウェイデバイスのＭＡＣアドレスに設定すること、第１のページングメッセージの宛先ＩＰアドレスを基地局ａのＩＰアドレスに設定すること、第１のページングメッセージの発信元ＩＰアドレスを転送プレーンゲートウェイデバイスのＩＰアドレスに設定すること、及び、第１のページングメッセージをポート１から出力することであってよい（基地局ａは、ポート１を使用することによって転送プレーンゲートウェイに接続されていると仮定する）。同様に、別の基地局Ｘのためのアクションエントリに含まれるアクションは、第１のページングメッセージの宛先ＭＡＣアドレスを基地局ＸのＭＡＣアドレスに設定すること、第１のページングメッセージの発信元ＭＡＣアドレスを転送プレーンゲートウェイデバイスのＭＡＣアドレスに設定すること、第１のページングメッセージの宛先ＩＰアドレスを基地局ＸのＩＰアドレスに設定すること、第１のページングメッセージの発信元ＩＰアドレスを転送プレーンゲートウェイデバイスのＩＰアドレスに設定すること、及び、第１のページングメッセージをポートＹから出力することであってよい（基地局Ｘは、ポートＹを使用することによって転送プレーンゲートウェイに接続されていると仮定する）。
【０２３７】
本明細書におけるアクションエントリは一意でないことが指摘されるべきである。ページングメッセージがカプセル化されるのみであり、転送されない場合、第１のページングメッセージの宛先ＩＰアドレスを基地局のＩＰアドレスに設定することだけが必要とされ、これにより、要件が満たされる。別の転送テーブルを使用することによって、宛先ＩＰアドレスに従って、次にピアエンドのＭＡＣアドレス及び出力ポートなどの情報が決定されてよい。加えて、アクションエントリはまた、例えば、ＶＬＡＮ識別子の追加又はＭＰＬＳラベルの追加といった、他のＬ２及びＬ３ヘッダフィールドのための修正アクションを含んでよく、ＭＡＣアドレス及びＩＰアドレスのみを修正することに限定されない。
【０２３８】
７０２．制御プレーンゲートウェイが、グループエントリを転送プレーンゲートウェイに送信する。
【０２３９】
７０３．制御プレーンゲートウェイが、ＩＰ処理エントリを生成する。
【０２４０】
本実施形態において、ＵＥがアイドル状態に入った後、基地局はユーザコンテキスト解放メッセージを制御プレーンゲートウェイに送信して、制御状態に入るようＵＥに命令する。この場合、制御プレーンゲートウェイは、ＵＥの現在の位置エリアを決定する。位置エリアは、トラッキング位置エリア又はルーティング位置エリアを含む。本実施形態において、制御プレーンゲートウェイは、ＴＡＩ１によって表された位置エリアにＵＥが位置していると決定する。
【０２４１】
制御プレーンゲートウェイは、ＵＥの位置エリアに従って、ＩＰ処理エントリを再構成する。
【０２４２】
制御プレーンゲートウェイがＩＰ処理エントリを修正する前のＩＰ処理エントリが表７に示される。
【表７】
0006499283.tif 000008
【０２４３】
制御プレーンゲートウェイがＩＰ処理エントリを修正した後のＩＰ処理エントリは表８に示される。
【表８】
0006499283.tif 000009
【０２４４】
本実施形態において、制御プレーンゲートウェイは、ページングされることを必要とするＵＥのＩＰアドレスを決定し、決定されたＵＥのＩＰアドレスをマッチエントリに設定する。
【０２４５】
ＩＰ処理エントリを修正する場合、制御プレーンゲートウェイは、ＩＰアドレスのダウンリンクトンネルをカプセル化する動作を削除し、ＵＥのためのＩＰ処理エントリをＵＥのためのグループエントリと関連付ける。
【０２４６】
本実施形態において、ＩＰ処理エントリとグループエントリとの間の対応関係は、グループエントリ識別子を使用することによって確立される。すなわち、ＩＰ処理エントリは、ＵＥの位置エリアに対応しているグループエントリ識別子を含む。
【０２４７】
本実施形態において、グループエントリ識別子１に対応する位置エリアにＵＥが位置すると制御プレーンゲートウェイが決定するので、ＩＰ処理エントリを修正する場合、制御プレーンゲートウェイは、グループエントリ識別子１をＩＰ処理エントリに追加する。
【０２４８】
本実施形態において、第１のページングメッセージは、制御プレーンゲートウェイによってＵＥに届けられるページングメッセージである。本実施形態において、第１のページングメッセージの具体的な数は限定されない。すなわち、転送プレーンゲートウェイは、同時に少なくとも１つの端末をページングしてよい。
【０２４９】
７０４．制御プレーンゲートウェイが、ＩＰ処理エントリを転送プレーンゲートウェイに送信する。
【０２５０】
７０５．制御プレーンゲートウェイが、第１のページングメッセージを転送プレーンゲートウェイに送信する。
【０２５１】
制御プレーンゲートウェイによって送信された第１のページングメッセージは、ＵＥのための（Ｓ‐ＴＭＳＩなどの）ページング識別子、及び、ページングのために基地局によって必要とされるページングインデックスなどの情報を含んでよい。
【０２５２】
任意選択で、ページングメッセージは、Ｌ２ヘッダ又はＬ３ヘッダのいくつかの情報、例えば、発信元ＭＡＣアドレス又は発信元ＩＰアドレスを含んでよい。当該情報は、位置エリア内の全ての基地局に対して同一である。
【０２５３】
第１のページングメッセージの受信後、転送プレーンゲートウェイは、表８に示されたＩＰ処理エントリ内のコンテンツ記憶エントリに第１のページングメッセージを保存してよい。転送プレーンゲートウェイは、ダウンリンクパケットの宛先アドレスを決定する。従って、ダウンリンクパケットの宛先アドレスが、ＩＰ処理エントリ内のマッチエントリ内の宛先ＩＰアドレスと同一であると転送プレーンゲートウェイが決定した場合、転送プレーンゲートウェイは、対応するＩＰ処理エントリをマッチングできる。
【０２５４】
本実施形態において、転送プレーンゲートウェイは、表８に示すＩＰ処理エントリに従って、対応するグループエントリのグループエントリ識別子は１であると決定してよい。
【０２５５】
制御プレーンゲートウェイは、そのグループエントリ識別子が１であるグループエントリに第１のページングメッセージを出力するよう、グループエントリ識別子１を使用することによって転送プレーンゲートウェイに命令し、これにより、転送プレーンゲートウェイは、表６に示すようなグループエントリ１に対応するアクションエントリを実行する。
【０２５６】
ＵＥに対応する位置エリアのグループエントリに第１のページングメッセージを出力し、ＵＥに対応する位置エリア内の基地局のアドレスを得た後、転送プレーンゲートウェイは、グループエントリに出力された第１のページングメッセージの宛先アドレスを、ＵＥに対応する位置エリアのグループエントリに従って、ＵＥに対応する位置エリア内の基地局のアドレスに設定し、これにより、第２のページングメッセージを形成する。
【０２５７】
グループエントリに出力された第１のページングメッセージを、アクションエントリに従って第２のページングメッセージに変更することは、第１のページングメッセージの宛先アドレスを、第２のページングメッセージの、アクションエントリに含まれる宛先アドレスに変更することである。
【０２５８】
具体的には、グループエントリに出力された第１のページングメッセージの宛先ＩＰアドレスは、ＵＥに対応する位置エリア内の基地局のＩＰアドレスに設定され、グループエントリに出力された第１のページングメッセージの発信元ＩＰアドレスは、転送プレーンゲートウェイのＩＰアドレスに設定され、グループエントリに出力された第１のページングメッセージの宛先ＭＡＣアドレスは、ＵＥに対応する位置エリア内の基地局のＭＡＣアドレスに設定され、グループエントリに出力された第１のページングメッセージの発信元ＭＡＣアドレスは、転送プレーンゲートウェイのＭＡＣアドレスに設定され、出力ポートは、グループエントリに出力された第１のページングメッセージのために選択され、当該出力ポートは、転送プレーンゲートウェイと、ＵＥに対応する位置エリア内の基地局とを接続するためのポートである。
【０２５９】
すなわち、第２のページングメッセージは、その宛先アドレスがアクションエントリに従って変更された第１のページングメッセージである。
【０２６０】
従って転送プレーンゲートウェイは、生成された第２のページングメッセージを使用することによって端末をページングする。具体的には、転送プレーンゲートウェイが、グループエントリに出力された第１のページングメッセージの宛先アドレスを、ＵＥに対応する位置エリアのグループエントリに従って、ＵＥに対応する位置エリア内の基地局のアドレスに設定した後、転送プレーンゲートウェイは、ＵＥに対応する位置エリア内の基地局のアドレスに従って、第２のページングメッセージを位置エリア内の基地局に送信する。
【０２６１】
本実施形態における表６に示すグループエントリは、一例として使用される。ＵＥに対応する位置エリアはグループエントリ１に対応しており、第１のページングメッセージは、対応するグループエントリ１に送信される。第１のページングメッセージの宛先ＭＡＣアドレス及び宛先ＩＰアドレスは、グループエントリ１の２つのアクションエントリに従って、基地局ａのアドレスに、及び基地局ｂのアドレスに別個に設定され、ページングメッセージは、転送プレーンゲートウェイを基地局ａ及び基地局ｂに接続するためのポートから送信される。転送プレーンゲートウェイは、第２のページングメッセージを基地局ａ及び基地局ｂの各々に送信する。第２のページングメッセージは、同一のページングメッセージボディを有するが、基地局ａに送信された第２のページングメッセージの宛先ＭＡＣアドレス及び宛先ＩＰアドレスは、基地局ａのアドレスであり、基地局ｂに送信された第２のページングメッセージの宛先ＭＡＣアドレス及び宛先ＩＰアドレスは、基地局ｂのアドレスである。第２のページングメッセージの受信後、基地局ａ及び基地局ｂは、第２のページングメッセージ内のユーザ識別子及びページングインデックスなどの情報に従ってＵＥをページングする。
【０２６２】
基地局ａ及び基地局ｂから第２のページングメッセージを受信した後、ＵＥは第２のページングメッセージに応答し、基地局ａ及び基地局ｂを使用することによってサービス要求を制御プレーンゲートウェイに送信し、再びアクティブ状態に入る。
【０２６３】
第２のページングメッセージを位置エリア内の基地局に送信した後、ＵＥは、基地局を使用することによってサービス要求を制御プレーンゲートウェイに送信する。
【０２６４】
７０６．制御プレーンゲートウェイがサービス要求を受信した場合、制御プレーンゲートウェイがＩＰ処理エントリを設定するための命令を生成する。
【０２６５】
具体的には、制御プレーンゲートウェイは、サービス要求に従って、ＩＰ処理エントリを設定するための命令を転送プレーンゲートウェイに送信する。ＩＰ処理エントリを設定するための命令は、ＵＥのＩＰ処理エントリ内のアクションエントリを外側のトンネルカプセル化に設定するために使用される。
【０２６６】
７０７．制御プレーンゲートウェイが、ＩＰ処理エントリを設定するための命令を転送プレーンゲートウェイに送信する。
【０２６７】
制御プレーンゲートウェイは、ＩＰ処理エントリを設定するための命令に従って、ＵＥのＩＰ処理エントリ内のアクションエントリを外側のトンネルカプセル化に設定するよう、ＩＰ処理エントリを設定するための命令を使用することによって、転送プレーンゲートウェイに命令する。
【０２６８】
ＵＥのＩＰ処理エントリ内のアクションエントリを外側のトンネルカプセル化に設定した後、転送プレーンゲートウェイは、ＵＥのＩＰ処理エントリに従ってダウンリンクパケットをカプセル化し、位置エリア内にあり、かつ、ＵＥのサービス要求を送信する基地局を使用することによって、バッファリングされたダウンリンクパケットをＵＥに送信する。
【０２６９】
要するに、制御プレーンゲートウェイが、基地局を使用することによってＵＥにより送信されたサービス要求を受信した場合、制御プレーンゲートウェイは、転送プレーンゲートウェイにおけるＵＥのＩＰ処理エントリを更新し、これにより、転送プレーンゲートウェイは、ＵＥのＩＰ処理エントリに対し、ダウンリンクトンネルカプセル化アクションを再生成する。このプロセスにおいて、ＵＥのＩＰ処理エントリに格納された第１のページングメッセージは削除されてよい。
【０２７０】
７０８．制御プレーンゲートウェイが、転送プレーンゲートウェイによって送信されたページングタイムアウトイベントを受信した場合、制御プレーンゲートウェイが、ＩＰ処理エントリを削除するための命令を転送プレーンゲートウェイに送信する。
【０２７１】
制御プレーンゲートウェイによって送信された、ＩＰ処理エントリを設定するための命令が、事前設定された時間内に受信されないと転送プレーンゲートウェイが決定した場合、転送プレーンゲートウェイはページングタイムアウトイベントを制御プレーンゲートウェイに報告し、制御プレーンゲートウェイは、ＵＥのＩＰ処理エントリを削除するための命令をページングタイムアウトイベントに従って転送プレーンゲートウェイに送信し、これにより、転送プレーンゲートウェイは、ＩＰ処理エントリを削除し、ダウンリンクパケットを解放する。
【０２７２】
本実施形態から分かるように、ＵＥがアイドル状態に入った後、ダウンリンクパケットが直接トリガになり転送プレーンゲートウェイに第２のページングメッセージを基地局に送信させ、制御プレーンゲートウェイは、グループエントリ及びＩＰ処理エントリを送信することによって転送プレーンゲートウェイに命令して第１のページングメッセージを変更させ、これにより、第１のページングメッセージを、端末をページングするために使用される第２のページングメッセージに変更する。転送プレーンゲートウェイは、ページングメッセージをもたらすよう制御プレーンゲートウェイに命令する必要はない。従って、制御プレーンゲートウェイと転送プレーンゲートウェイとの間のシグナリングインタワーキングが低減され、ページング遅延が短縮される。
【０２７３】
図７に示した実施形態によると、ＵＥに対応する位置エリアのグループエントリであり、ＵＥのＩＰ処理エントリと関連付けられたグループエントリは、含まれたアクションセットに対応する１つのグループエントリであってよい。図８に示した実施形態に関する以下の説明において、ＵＥに対応する位置エリアのグループエントリであり、ＵＥのＩＰ処理エントリと関連付けられたグループエントリは、含まれたアクションセットに対応する複数のグループエントリであってよい。
【０２７４】
８０１．制御プレーンゲートウェイがグループエントリを生成する。
【０２７５】
制御プレーンゲートウェイは、グループエントリが各位置エリアに対応するよう、位置エリア毎にグループエントリを構成する。
【０２７６】
グループエントリは、位置エリアと一対一で対応してよい、又は、１つの位置エリアが複数のグループエントリに対応していてよい、又は、１つのグループエントリが複数の位置エリアに対応している。具体的な対応する方式は本実施形態において限定されない。
【０２７７】
端末に対応する基地局情報は、１又は複数の位置エリア内の基地局のアドレスであり、１又は複数の位置エリアは、端末の現在の位置エリアを含むことに留意されたい。
【０２７８】
本実施形態では、各グループエントリは１つの位置エリアに対応しており、各グループエントリは１つのグループエントリ識別子に対応している。
【０２７９】
グループエントリ識別子は本実施形態において限定されない。例えば、グループエントリ識別子は、トラッキングエリア識別情報（ＴＡＩ）又はルーティングエリア識別情報（ＲＡＩ）であってよい。本実施形態の例では、グループエントリ識別子はトラッキングエリア識別情報（ＴＡＩ）である。
【０２８０】
本実施形態において、制御プレーンゲートウェイによって生成されたグループエントリは、表９に示されてよい。
【表９】
0006499283.tif 000010
【０２８１】
グループエントリ３のアクションエントリセットは、２つのアクションエントリを含む。２つのアクションエントリは、グループエントリ１及びグループエントリ２に別個に対応している。
【０２８２】
グループエントリ識別子は、グループエントリにインデックスを付けるべく使用される。アクションエントリセットは、端末をページングするために使用されるページングメッセージに対して実行される動作を含む。基地局ａのためのアクションエントリに含まれるアクションは、第１のページングメッセージの宛先ＭＡＣアドレスを基地局ａのＭＡＣアドレスに設定すること、第１のページングメッセージの発信元ＭＡＣアドレスを転送プレーンゲートウェイデバイスのＭＡＣアドレスに設定すること、第１のページングメッセージの宛先ＩＰアドレスを基地局ａのＩＰアドレスに設定すること、第１のページングメッセージの発信元ＩＰアドレスを転送プレーンゲートウェイデバイスのＩＰアドレスに設定すること、及び、第１のページングメッセージをポート１から出力することであってよい（基地局ａは、ポート１を使用することによって転送プレーンゲートウェイに接続されていると仮定する）。同様に、別の基地局Ｘのためのアクションエントリに含まれるアクションは、第１のページングメッセージの宛先ＭＡＣアドレスを基地局ＸのＭＡＣアドレスに設定すること、第１のページングメッセージの発信元ＭＡＣアドレスを転送プレーンゲートウェイデバイスのＭＡＣアドレスに設定すること、第１のページングメッセージの宛先ＩＰアドレスを基地局ＸのＩＰアドレスに設定すること、第１のページングメッセージの発信元ＩＰアドレスを転送プレーンゲートウェイデバイスのＩＰアドレスに設定すること、及び、第１のページングメッセージをポートＹから出力することであってよい（基地局Ｘは、ポートＹを使用することによって転送プレーンゲートウェイに接続されていると仮定する）。
【０２８３】
本明細書におけるアクションエントリは一意でないことが指摘されるべきである。ページングメッセージがカプセル化されるのみであり、転送されない場合、第１のページングメッセージの宛先ＩＰアドレスを基地局のＩＰアドレスに設定することだけが必要とされ、これにより、要件が満たされる。別の転送テーブルを使用することによって、宛先ＩＰアドレスに従って、次にピアエンドのＭＡＣアドレス及び出力ポートなどの情報が決定されてよい。加えて、アクションエントリはまた、例えば、ＶＬＡＮ識別子の追加又はＭＰＬＳラベルの追加といった、他のＬ２及びＬ３ヘッダフィールドのための修正アクションを含んでよく、ＭＡＣアドレス及びＩＰアドレスのみを修正することに限定されない。
【０２８４】
８０２．制御プレーンゲートウェイがグループエントリを転送プレーンゲートウェイに送信する。
【０２８５】
８０３．制御プレーンゲートウェイがＩＰ処理エントリを生成する。
【０２８６】
本実施形態において、ＵＥがアイドル状態に入った後、基地局はユーザコンテキスト解放メッセージを制御プレーンゲートウェイに送信して、制御状態に入るようＵＥに命令する。この場合、制御プレーンゲートウェイは、ＵＥの現在の位置エリアを決定する。位置エリアは、トラッキング位置エリア又はルーティング位置エリアを含む。本実施形態において、制御プレーンゲートウェイは、ＵＥが、ＴＡＩ１によって表された位置エリアに位置していると決定する。
【０２８７】
制御プレーンゲートウェイは、ＵＥの位置エリアに従って、ＩＰ処理エントリを再構成する。
【０２８８】
制御プレーンゲートウェイがＩＰ処理エントリを修正した後のＩＰ処理エントリは、表１０に示される。
【表１０】
0006499283.tif 000011
【０２８９】
本実施形態において、制御プレーンゲートウェイは、ページングされることを必要とするＵＥのＩＰアドレスを決定し、決定されたＵＥのＩＰアドレスをマッチエントリに設定する。
【０２９０】
ＩＰ処理エントリを修正する場合、制御プレーンゲートウェイは、ＩＰアドレスのダウンリンクトンネルをカプセル化する動作を削除し、ＵＥのためのＩＰ処理エントリをＵＥのためのグループエントリと関連付ける。
【０２９１】
本実施形態において、ＩＰ処理エントリとグループエントリとの間の対応関係は、グループエントリ識別子を使用することによって確立される。すなわち、ＩＰ処理エントリは、ＵＥの位置エリアに対応しているグループエントリ識別子を含む。
【０２９２】
本実施形態において、グループエントリ識別子３に対応する位置エリアにＵＥが位置と制御プレーンゲートウェイが決定するので、ＩＰ処理エントリを修正する場合、制御プレーンゲートウェイは、グループエントリ識別子３をＩＰ処理エントリに追加する。
【０２９３】
本実施形態において、第１のページングメッセージは、制御プレーンゲートウェイによってＵＥに届けられるページングメッセージである。本実施形態において、第１のページングメッセージの具体的な数は限定されない。すなわち、転送プレーンゲートウェイは、同時に少なくとも１つの端末をページングしてよい。
【０２９４】
８０４．制御プレーンゲートウェイが、ＩＰ処理エントリを転送プレーンゲートウェイに送信する。
【０２９５】
８０５．制御プレーンゲートウェイが、第１のページングメッセージを転送プレーンゲートウェイに送信する。
【０２９６】
制御プレーンゲートウェイによって送信された第１のページングメッセージは、ＵＥのための（Ｓ‐ＴＭＳＩなどの）ページング識別子、及び、ページングのために基地局によって必要とされるページングインデックスなどの情報を含んでよい。
【０２９７】
任意選択で、ページングメッセージは、Ｌ２ヘッダ又はＬ３ヘッダのいくつかの情報、例えば、発信元ＭＡＣアドレス又は発信元ＩＰアドレスを含んでよい。当該情報は、位置エリア内の全ての基地局に対して同一である。
【０２９８】
第１のページングメッセージの受信後、転送プレーンゲートウェイは、表１０に示されたＩＰ処理エントリ内のコンテンツ記憶エントリに第１のページングメッセージを保存してよい。転送プレーンゲートウェイは、ダウンリンクパケットの宛先アドレスを決定する。従って、ダウンリンクパケットの宛先アドレスが、ＩＰ処理エントリ内のマッチエントリ内の宛先ＩＰアドレスと同一であると転送プレーンゲートウェイが決定した場合、転送プレーンゲートウェイは、対応するＩＰ処理エントリをマッチングできる。
【０２９９】
本実施形態において、転送プレーンゲートウェイは、表１０に示すＩＰ処理エントリに従って、対応するグループエントリのグループエントリ識別子は３であると決定してよい。
【０３００】
制御プレーンゲートウェイは、そのグループエントリ識別子が３であるグループエントリに第１のページングメッセージを出力するよう、グループエントリ識別子３を使用することによって転送プレーンゲートウェイに命令し、これにより、転送プレーンゲートウェイは、表９に示すようなグループエントリ３に対応するアクションエントリを実行する。
【０３０１】
ＵＥに対応する位置エリアのグループエントリに第１のページングメッセージを出力し、ＵＥに対応する位置エリア内の基地局のアドレスを得た後、転送プレーンゲートウェイは、グループエントリに出力された第１のページングメッセージの宛先アドレスを、ＵＥに対応する位置エリアのグループエントリに従って、ＵＥに対応する位置エリア内の基地局のアドレスに設定し、これにより、第２のページングメッセージを形成する。
【０３０２】
グループエントリに出力された第１のページングメッセージを、アクションエントリに従って第２のページングメッセージに変更することは、第１のページングメッセージの宛先アドレスを、第２のページングメッセージの、アクションエントリに含まれる宛先アドレスに変更することである。
【０３０３】
具体的には、グループエントリに出力された第１のページングメッセージの宛先ＩＰアドレスは、ＵＥに対応する位置エリア内の基地局のＩＰアドレスに設定され、グループエントリに出力された第１のページングメッセージの発信元ＩＰアドレスは、転送プレーンゲートウェイのＩＰアドレスに設定され、グループエントリに出力された第１のページングメッセージの宛先ＭＡＣアドレスは、ＵＥに対応する位置エリア内の基地局のＭＡＣアドレスに設定され、グループエントリに出力された第１のページングメッセージの発信元ＭＡＣアドレスは、転送プレーンゲートウェイのＭＡＣアドレスに設定され、出力ポートは、グループエントリに出力された第１のページングメッセージのために選択され、当該出力ポートは、転送プレーンゲートウェイと、ＵＥに対応する位置エリア内の基地局とを接続するためのポートである。
【０３０４】
すなわち、第２のページングメッセージは、その宛先アドレスがアクションエントリに従って変更された第１のページングメッセージである。
【０３０５】
本実施形態における表９に示すグループエントリは、一例として使用される。ＵＥに対応する位置エリアはグループエントリ３に対応しており、第１のページングメッセージは、対応するグループエントリ１及びグループエントリ２に送信される。第１のページングメッセージの宛先ＭＡＣアドレス及び宛先ＩＰアドレスは、グループエントリ１の２つのアクションエントリに従って、基地局ａのアドレスに、及び基地局ｂのアドレスに別個に設定され、ページングメッセージは、転送プレーンゲートウェイを基地局ａ及び基地局ｂに接続するためのポートから送信される。グループエントリ２の３つのアクションエントリに従って、第１のページングメッセージの宛先ＭＡＣアドレス及び宛先ＩＰアドレスは、基地局ｃのアドレスに、基地局ｄのアドレスに、及び、基地局ｅのアドレスに別個に設定され、ページングメッセージは、転送プレーンゲートウェイを基地局ｃ、基地局ｄ、及び基地局ｅに接続するためのポートから送信される。
【０３０６】
第２のページングメッセージの受信後、基地局ａ、基地局ｂ、基地局ｃ、基地局ｄ、及び基地局ｅは、第２のページングメッセージ内のユーザ識別子及びページングインデックスなどの情報に従ってＵＥをページングする。
【０３０７】
基地局ａ、基地局ｂ、基地局ｃ、基地局ｄ、及び基地局ｅから第２のページングメッセージを受信した後、ＵＥは第２のページングメッセージに応答し、基地局ａ、基地局ｂ、基地局ｃ、基地局ｄ、及び基地局ｅを使用することによって、サービス要求を制御プレーンゲートウェイに送信し、再びアクティブ状態に入る。
【０３０８】
第２のページングメッセージを位置エリア内の基地局に送信した後、ＵＥは、基地局を使用することによってサービス要求を制御プレーンゲートウェイに送信する。
【０３０９】
８０６．制御プレーンゲートウェイがサービス要求を受信した場合、制御プレーンゲートウェイが、ＩＰ処理エントリを設定するための命令を生成する。
【０３１０】
８０７．制御プレーンゲートウェイが、ＩＰ処理エントリを設定するための命令を転送プレーンゲートウェイに送信する。
【０３１１】
８０８．制御プレーンゲートウェイが、転送プレーンゲートウェイによって送信されたページングタイムアウトイベントを受信した場合、制御プレーンゲートウェイが、ＩＰ処理エントリを削除するための命令を転送プレーンゲートウェイに送信する。
【０３１２】
本実施形態の段階８０６から段階８０８のプロセスは、図７の段階７０６から段階７０８のプロセスと同一である。本実施形態において詳細は記載しない。
【０３１３】
本実施形態から分かるように、ＵＥがアイドル状態に入った後、ダウンリンクパケットが直接トリガになり転送プレーンゲートウェイに第２のページングメッセージを基地局に送信させ、制御プレーンゲートウェイは、グループエントリ及びＩＰ処理エントリを送信することによって転送プレーンゲートウェイに命令して第１のページングメッセージを変更させ、これにより、第１のページングメッセージを、端末をページングするために使用される第２のページングメッセージに変更する。転送プレーンゲートウェイは、ページングメッセージをもたらすよう制御プレーンゲートウェイに命令する必要はない。従って、制御プレーンゲートウェイと転送プレーンゲートウェイとの間のシグナリングインタワーキングが低減され、ページング遅延が短縮される。
【０３１４】
図９に示した実施形態を参照して、ＵＥが現在の位置エリアから更新された位置エリアに移動した場合、制御プレーンゲートウェイがどのようにしてページング方法を実施するかを以下で説明する。
【０３１５】
９０１．制御プレーンゲートウェイが、グループエントリを生成する。
【０３１６】
９０２．制御プレーンゲートウェイが、グループエントリを転送プレーンゲートウェイに送信する。
【０３１７】
９０３．制御プレーンゲートウェイが、ＩＰ処理エントリを生成する。
【０３１８】
９０４．制御プレーンゲートウェイが、ＩＰ処理エントリを転送プレーンゲートウェイに送信する。
【０３１９】
９０５．制御プレーンゲートウェイが、第１のページングメッセージを転送プレーンゲートウェイに送信する。
【０３２０】
本実施形態の段階９０１から段階９０５の具体的なプロセスについては、図７に示した段階７０１から段階７０５を参照されたい。具体的なプロセスは、本実施形態において記載しない。
【０３２１】
９０６．端末が現在の位置エリアから更新された位置エリアに移動したと制御プレーンゲートウェイが決定した場合、制御プレーンゲートウェイが、更新された位置エリアに位置する端末に対応しているＩＰ処理エントリを修正する。
【０３２２】
ＵＥがアイドル状態に入った後、ＵＥは１つの位置エリアから新たな位置エリアに移動してよい、すなわち、ＵＥは現在の位置エリアから更新された位置エリアに移動するので、ＵＥの現在の位置エリアを正確に決定すべく、ＵＥが更新された位置エリアにアイドル状態で移動した場合は、ＵＥは、更新された位置エリア内の基地局に対し、位置更新手順を開始し、制御プレーンゲートウェイに対し、ＵＥの現在の位置エリアを更新し、これにより、制御プレーンゲートウェイは、移動後のＵＥの更新された位置エリアを決定する。
【０３２３】
ＵＥが、更新された位置エリアに位置すると制御プレーンゲートウェイが決定した後、制御プレーンゲートウェイは、更新された位置エリアに位置する端末に対応するＩＰ処理エントリを、更新された位置エリアに位置するＵＥのＩＰアドレスに従って修正する。制御プレーンゲートウェイは、ＵＥの更新された位置エリアに従って、ＵＥのグループエントリとＩＰ処理エントリとの間の対応関係であり、転送プレーンゲートウェイにおける対応関係を更新し、ＵＥのＩＰ処理エントリを、更新された位置エリアに対応するグループエントリと関連付け、これにより、更新された位置エリアに位置する端末は、修正されたＩＰ処理エントリに対応するグループエントリを使用することによってページングされ得る。
【０３２４】
転送プレーンゲートウェイが、ＩＰ処理エントリとグループエントリとの間の新たな対応関係を受信した後、転送プレーンゲートウェイは、ダウンリンクパケットの宛先アドレスを決定する。従って、ダウンリンクパケットの宛先アドレスが、ＩＰ処理エントリ内のマッチエントリ内の宛先ＩＰアドレスと同一であると転送プレーンゲートウェイが決定した場合、転送プレーンゲートウェイは、対応するＩＰ処理エントリをマッチングできる。
【０３２５】
ＵＥに対応する更新された位置エリアのグループエントリに第１のページングメッセージを出力し、ＵＥに対応する更新された位置エリア内の基地局のアドレスを得た後、転送プレーンゲートウェイは、グループエントリに出力された第１のページングメッセージの宛先アドレスを、ＵＥに対応する更新された位置エリアのグループエントリに従って、ＵＥに対応する更新された位置エリア内の基地局のアドレスに設定し、これにより、第２のページングメッセージを形成する。
【０３２６】
グループエントリに出力された第１のページングメッセージを、アクションエントリに従って第２のページングメッセージに変更することは、第１のページングメッセージの宛先アドレスを、第２のページングメッセージの、アクションエントリに含まれる宛先アドレスに変更することである。
【０３２７】
具体的には、グループエントリに出力された第１のページングメッセージの宛先ＩＰアドレスは、ＵＥに対応する更新された位置エリア内の基地局のＩＰアドレスに設定され、グループエントリに出力された第１のページングメッセージの発信元ＩＰアドレスは、転送プレーンゲートウェイのＩＰアドレスに設定され、グループエントリに出力された第１のページングメッセージの宛先ＭＡＣアドレスは、ＵＥに対応する更新された位置エリア内の基地局のＭＡＣアドレスに設定され、グループエントリに出力された第１のページングメッセージの発信元ＭＡＣアドレスは、転送プレーンゲートウェイのＭＡＣアドレスに設定され、出力ポートは、グループエントリに出力された第１のページングメッセージのために選択され、当該出力ポートは、転送プレーンゲートウェイと、ＵＥに対応する更新された位置エリア内の基地局とを接続するためのポートである。
【０３２８】
すなわち、第２のページングメッセージは、その宛先アドレスがアクションエントリに従って変更された第１のページングメッセージである。
【０３２９】
従って転送プレーンゲートウェイは、生成された第２のページングメッセージを使用することによって端末をページングする。具体的には、転送プレーンゲートウェイが、グループエントリに出力された第１のページングメッセージの宛先アドレスを、ＵＥに対応する更新された位置エリアのグループエントリに従って、ＵＥに対応する更新された位置エリア内の基地局のアドレスに設定した後、転送プレーンゲートウェイは、ＵＥに対応する更新された位置エリア内の基地局のアドレスに従って、第２のページングメッセージを更新された位置エリア内の基地局に送信する。
【０３３０】
更新された位置エリア内の基地局から第２のページングメッセージを受信した後、ＵＥは第２のページングメッセージに応答し、更新された位置エリア内の基地局を使用することによってサービス要求を制御プレーンゲートウェイに送信し、再びアクティブ状態に入る。
【０３３１】
更新された位置エリア内の基地局に第２のページングメッセージを送信した後、ＵＥは、更新された位置エリア内の基地局を使用することによってサービス要求を制御プレーンゲートウェイに送信する。
【０３３２】
更新された位置エリアに位置する端末のページングパラメータが変化したと制御プレーンゲートウェイが決定した場合、制御プレーンゲートウェイは、そのページングパラメータが変化した端末に対応し、かつ、更新された位置エリアに位置するＩＰ処理エントリを修正し、ＩＰ処理エントリにバッファリングされた第１のページングメッセージを更新し、更新された第１のページングメッセージを転送プレーンゲートウェイに送信する。
【０３３３】
９０７．制御プレーンゲートウェイがサービス要求を受信した場合、制御プレーンゲートウェイが、ＩＰ処理エントリを設定するための命令を生成する。
【０３３４】
具体的には、制御プレーンゲートウェイは、ＩＰ処理エントリを設定するための命令を、サービス要求に従って転送プレーンゲートウェイに送信する。ＩＰ処理エントリを設定するための命令は、ＵＥのＩＰ処理エントリ内のアクションエントリを外側のトンネルカプセル化に設定するために使用される。
【０３３５】
９０８．制御プレーンゲートウェイが、ＩＰ処理エントリを設定するための命令を転送プレーンゲートウェイに送信する。
【０３３６】
制御プレーンゲートウェイは、ＩＰ処理エントリを設定するための命令に従ってＵＥのＩＰ処理エントリ内のアクションエントリを外側のトンネルカプセル化に設定するよう、ＩＰ処理エントリを設定するための命令を使用することによって、転送プレーンゲートウェイに命令する。
【０３３７】
ＵＥのＩＰ処理エントリ内のアクションエントリを外側のトンネルカプセル化に設定した後、転送プレーンゲートウェイは、ＵＥのＩＰ処理エントリに従ってダウンリンクパケットをカプセル化し、更新された位置エリアにあり、かつ、ＵＥのサービス要求を送信する基地局を使用することによって、バッファリングされたダウンリンクパケットをＵＥに送信する。
【０３３８】
要するに、制御プレーンゲートウェイが、基地局を使用することによってＵＥにより送信されたサービス要求を受信した場合、制御プレーンゲートウェイは、転送プレーンゲートウェイにおけるＵＥのＩＰ処理エントリを更新し、これにより、転送プレーンゲートウェイは、ＵＥのＩＰ処理エントリに対し、ダウンリンクトンネルカプセル化アクションを再生成する。このプロセスにおいて、ＵＥのＩＰ処理エントリに格納された第１のページングメッセージは削除されてよい。
【０３３９】
９０９．制御プレーンゲートウェイが、転送プレーンゲートウェイによって送信されたページングタイムアウトイベントを受信した場合、制御プレーンゲートウェイが、ＩＰ処理エントリを削除するための命令を転送プレーンゲートウェイに送信する。
【０３４０】
制御プレーンゲートウェイによって送信された、ＩＰ処理エントリを設定するための命令が、事前設定された時間内に受信されないと転送プレーンゲートウェイが決定した場合、転送プレーンゲートウェイはページングタイムアウトイベントを制御プレーンゲートウェイに報告し、制御プレーンゲートウェイは、ＵＥのＩＰ処理エントリを削除するための命令をページングタイムアウトイベントに従って転送プレーンゲートウェイに送信し、これにより、転送プレーンゲートウェイは、ＩＰ処理エントリを削除し、ダウンリンクパケットを解放する。
【０３４１】
本実施形態から分かるように、ＵＥが現在の位置エリアから更新された位置エリアに移動した場合、制御プレーンゲートウェイは、更新された位置エリアに位置する端末に対応しているＩＰ処理エントリを修正し、これにより、更新された位置エリアに位置する端末は、修正されたＩＰ処理エントリに対応しているグループエントリを使用することによってページングされ得る。加えて、ＵＥがアイドル状態に入った後、ダウンリンクパケットが直接トリガになり転送プレーンゲートウェイに第２のページングメッセージを基地局に送信させ、制御プレーンゲートウェイは、グループエントリ及びＩＰ処理エントリを送信することによって転送プレーンゲートウェイに命令して第１のページングメッセージを変更させ、これにより、第１のページングメッセージを、端末をページングするために使用される第２のページングメッセージに変更し、これにより、転送プレーンゲートウェイは、更新された位置エリアに位置する端末を、第２のページングメッセージを使用することによってページングし、転送プレーンゲートウェイは、ページングメッセージをもたらすよう制御プレーンゲートウェイに命令する必要はない。従って、制御プレーンゲートウェイと転送プレーンゲートウェイとの間のシグナリングインタワーキングが低減され、ページング遅延が短縮される。
【０３４２】
図１０に示した実施形態を参照して、端末のページングパラメータが変化したと決定する場合、制御プレーンゲートウェイはどのようにしてページングを実行するかを以下で説明する。
【０３４３】
１００１．制御プレーンゲートウェイがグループエントリを生成する。
【０３４４】
１００２．制御プレーンゲートウェイが、グループエントリを転送プレーンゲートウェイに送信する。
【０３４５】
１００３．制御プレーンゲートウェイが、ＩＰ処理エントリを生成する。
【０３４６】
１００４．制御プレーンゲートウェイが、ＩＰ処理エントリを転送プレーンゲートウェイに送信する。
【０３４７】
１００５．制御プレーンゲートウェイが、第１のページングメッセージを転送プレーンゲートウェイに送信する。
【０３４８】
本実施形態の段階１００１から段階１００５のプロセスは、図７に示した段階７０１から段階７０５のプロセスを同一である。本実施形態において詳細は記載しない。
【０３４９】
１００６．更新された位置エリアに位置する端末のページングパラメータが変化したと制御プレーンゲートウェイが決定した場合、更新された位置エリアに位置し、かつ、そのページングパラメータが変化した端末に対応するＩＰ処理エントリを制御プレーンゲートウェイが修正する。
【０３５０】
本実施形態における更新された位置エリアは、端末の現在の位置エリアである。
【０３５１】
制御プレーンゲートウェイは、更新された位置エリアに位置する端末に対応しているＩＰ処理エントリを決定する。
【０３５２】
１００７．制御プレーンゲートウェイが、ＩＰ処理エントリにバッファリングされた第１のページングメッセージを更新し、更新された第１のページングメッセージを転送プレーンゲートウェイに送信する。
【０３５３】
本実施形態において、制御プレーンゲートウェイは、端末をページングするために使用される第１のページングメッセージを、更新された位置エリアに位置する端末に従って対応して生成し、制御プレーンゲートウェイは、第１のページングメッセージを、更新された位置エリアに位置する端末に対応しているＩＰ処理エントリに更新し、第１のページングメッセージを転送プレーンゲートウェイに届け、これにより、転送プレーンゲートウェイは、第２のページングメッセージを、更新された第１のページングメッセージに従って対応して生成でき、更新された位置エリアに位置し、かつ、そのページングパラメータが変化した端末は、再生成された第２のページングメッセージを使用することによってページングされ得る。
【０３５４】
１００８．制御プレーンゲートウェイがサービス要求を受信した場合、制御プレーンゲートウェイは、ＩＰ処理エントリを設定するための命令を生成する。
【０３５５】
具体的には、制御プレーンゲートウェイは、ＩＰ処理エントリを設定するための命令を、サービス要求に従って転送プレーンゲートウェイに送信する。ＩＰ処理エントリを設定するための命令は、ＵＥのＩＰ処理エントリ内のアクションエントリを外側のトンネルカプセル化に設定するために使用される。
【０３５６】
１００９．制御プレーンゲートウェイが、ＩＰ処理エントリを設定するための命令を転送プレーンゲートウェイに送信する。
【０３５７】
制御プレーンゲートウェイは、ＩＰ処理エントリを設定するための命令に従ってＵＥのＩＰ処理エントリ内のアクションエントリを外側のトンネルカプセル化に設定するよう、ＩＰ処理エントリを設定するための命令を使用することによって転送プレーンゲートウェイに命令する。
【０３５８】
ＵＥのＩＰ処理エントリ内のアクションエントリを外側のトンネルカプセル化に設定した後、転送プレーンゲートウェイは、ＵＥのＩＰ処理エントリに従ってダウンリンクパケットをカプセル化し、更新された位置エリアにあり、かつ、ＵＥのサービス要求を送信する基地局を使用することによって、バッファリングされたダウンリンクパケットをＵＥに送信する。
【０３５９】
要するに、制御プレーンゲートウェイが、基地局を使用することによってＵＥにより送信されたサービス要求を受信した場合、制御プレーンゲートウェイは、転送プレーンゲートウェイにおけるＵＥのＩＰ処理エントリを更新し、これにより、転送プレーンゲートウェイは、ＵＥのＩＰ処理エントリに対し、ダウンリンクトンネルカプセル化アクションを再生成する。このプロセスにおいて、ＵＥのＩＰ処理エントリに格納された、更新された第１のページングメッセージは削除されてよい。
【０３６０】
１０１０．制御プレーンゲートウェイが、転送プレーンゲートウェイによって送信されたページングタイムアウトイベントを受信した場合、制御プレーンゲートウェイが、ＩＰ処理エントリを削除するための命令を転送プレーンゲートウェイに送信する。
【０３６１】
制御プレーンゲートウェイによって送信された、ＩＰ処理エントリを設定するための命令が、事前設定された時間内に受信されないと転送プレーンゲートウェイが決定した場合、転送プレーンゲートウェイはページングタイムアウトイベントを制御プレーンゲートウェイに報告し、制御プレーンゲートウェイは、ＵＥのＩＰ処理エントリを削除するための命令をページングタイムアウトイベントに従って転送プレーンゲートウェイに送信し、これにより、転送プレーンゲートウェイは、ＩＰ処理エントリを削除し、ダウンリンクパケットを解放する。
【０３６２】
本実施形態から分かるように、制御プレーンゲートウェイは、更新された位置エリアに位置する端末のページングパラメータが変化したと決定し、次に、更新された位置エリアに位置し、かつ、そのページングパラメータが変化した端末に対応するＩＰ処理エントリを修正し、ＩＰ処理エントリにバッファリングされた第１のページングメッセージを更新し、これにより、転送プレーンゲートウェイは、更新された第１のページングメッセージを使用することによって第２のページングメッセージを再生成し、そのページングパラメータが変化した端末は、再生成された第２のページングメッセージを使用することによってページングされ得、ページングの間、転送プレーンゲートウェイは、ページングメッセージをもたらすよう制御プレーンゲートウェイに命令する必要はない。従って、制御プレーンゲートウェイと転送プレーンゲートウェイとの間のシグナリングインタワーキングが低減され、ページング遅延が短縮される。
【０３６３】
本発明の実施形態は更に、転送プレーンゲートウェイデバイスを提供する。図１１に示されるように、転送プレーンゲートウェイデバイスは、
ダウンリンクパケットを受信するよう構成された第１の受信ユニット１１０１であって、
ネットワーク側からダウンリンクパケットを受信する、第１の受信ユニット１１０１と、
第２のページングメッセージを、ダウンリンクパケットに従って少なくとも１つの基地局に送信するよう構成された第１の送信ユニット１１０２であって、第２のページングメッセージは端末をページングするために使用される、第１の送信ユニット１１０２とを備える。
【０３６４】
転送プレーンゲートウェイは、受信されたダウンリンクパケットに従って第２のページングメッセージを決定する。第２のページングメッセージが端末をページングできる限り、転送プレーンゲートウェイが具体的にどのようにして第２のページングメッセージを決定するかは、本実施形態において限定されない。
【０３６５】
本実施形態に係る方法において、転送プレーンゲートウェイによって受信されたユーザパケットを使用することによって第２のページングメッセージが決定され、これにより、第２のページングメッセージを使用することによって、転送プレーンゲートウェイは端末をページングし、端末をページングするのに制御プレーンゲートウェイは必要ない。従って、ページング時間が低減される。
【０３６６】
図１２を参照して、以下で更に、転送プレーンゲートウェイデバイスの具体的な構造を詳細に説明する。
【０３６７】
転送プレーンゲートウェイデバイスは具体的に、第３の受信ユニット１２０１、第２の受信ユニット１２０２、第１の受信ユニット１２０３、記憶ユニット１２０４、第１の送信ユニット１２０５、第２の送信ユニット１２０６、及び第４の受信ユニット１２０７を含む。
【０３６８】
第３の受信ユニット１２０１は、制御プレーンゲートウェイによって送信されたグループエントリ及びＩＰ処理エントリを受信するよう構成されている。
【０３６９】
制御プレーンゲートウェイは、グループエントリが各位置エリアに対応するよう、位置エリア毎にグループエントリを構成する。
【０３７０】
グループエントリは、位置エリアと一対一で対応してよい、又は、１つの位置エリアが複数のグループエントリに対応していてよい、又は、１つのグループエントリが複数の位置エリアに対応している。具体的な対応する方式は本実施形態において限定されない。
【０３７１】
端末に対応する基地局情報は、１又は複数の位置エリア内の基地局のアドレスであり、１又は複数の位置エリアは、端末の現在の位置エリアを含むことに留意されたい。
【０３７２】
本実施形態では、各グループエントリは１つの位置エリアに対応しており、各グループエントリは１つのグループエントリ識別子に対応している。
【０３７３】
グループエントリ識別子は本実施形態において限定されない。例えば、グループエントリ識別子は、トラッキングエリア識別情報（ＴＡＩ）又はルーティングエリア識別情報（ＲＡＩ）であってよい。本実施形態の例では、グループエントリ識別子はトラッキングエリア識別情報（ＴＡＩ）である。
【０３７４】
グループエントリ識別子は、グループエントリにインデックスを付けるべく使用される。アクションエントリセットは、端末をページングするために使用されるページングメッセージに対して実行される動作を含む。
【０３７５】
本明細書におけるアクションエントリは一意でないことが指摘されるべきである。ページングメッセージがカプセル化されるのみであり、転送されない場合、第１のページングメッセージの宛先ＩＰアドレスを基地局のＩＰアドレスに設定することだけが必要とされ、これにより、要件が満たされる。別の転送テーブルを使用することによって、宛先ＩＰアドレスに従って、次にピアエンドのＭＡＣアドレス及び出力ポートなどの情報が決定されてよい。加えて、アクションエントリはまた、例えば、ＶＬＡＮ識別子の追加又はＭＰＬＳラベルの追加といった、他のＬ２及びＬ３ヘッダフィールドのための修正アクションを含んでよく、ＭＡＣアドレス及びＩＰアドレスのみを修正することに限定されない。
【０３７６】
本実施形態において、ＵＥがアイドル状態に入った後、基地局はユーザコンテキスト解放メッセージを制御プレーンゲートウェイに送信して、制御状態に入るようＵＥに命令する。この場合、制御プレーンゲートウェイは、ＵＥの現在の位置エリアを決定する。位置エリアは、トラッキング位置エリア又はルーティング位置エリアを含む。
【０３７７】
本実施形態において、ＩＰ処理エントリとグループエントリとの間の対応関係は、グループエントリ識別子を使用することによって確立される。すなわち、ＩＰ処理エントリは、ＵＥの位置エリアに対応しているグループエントリ識別子を含む。
【０３７８】
本実施形態において、グループエントリ識別子１に対応する位置エリアにＵＥが位置すると制御プレーンゲートウェイが決定するので、ＩＰ処理エントリを修正する場合、制御プレーンゲートウェイは、グループエントリ識別子１をＩＰ処理エントリに追加する。
【０３７９】
本実施形態において、第１のページングメッセージは、制御プレーンゲートウェイによってＵＥに届けられるページングメッセージである。本実施形態において、第１のページングメッセージの具体的な数は限定されない。すなわち、転送プレーンゲートウェイは、同時に少なくとも１つの端末をページングしてよい。
【０３８０】
第２の受信ユニット１２０２は、制御プレーンゲートウェイによって送信された第１のページングメッセージを受信するよう構成されている。
【０３８１】
転送プレーンゲートウェイによって受信された第１のページングメッセージは、ＵＥのための（Ｓ‐ＴＭＳＩなどの）ページング識別子、及び、ページングのために基地局によって必要とされるページングインデックスなどの情報を含んでよい。
【０３８２】
任意選択で、ページングメッセージは、Ｌ２ヘッダ又はＬ３ヘッダのいくつかの情報、例えば、発信元ＭＡＣアドレス又は発信元ＩＰアドレスを含んでよい。当該情報は、位置エリア内の全ての基地局に対して同一である。
【０３８３】
第１の受信ユニット１２０３は、ダウンリンクパケットを受信するよう構成されている。
【０３８４】
記憶ユニット１２０４は、ダウンリンクパケットをバッファリングするよう構成されている。
【０３８５】
第１の送信ユニット１２０５は、ダウンリンクパケットに従って、第２のページングメッセージを少なくとも１つの基地局に送信するよう構成されており、ここで、第２のページングメッセージは、端末をページングするために使用される。
【０３８６】
具体的には、第１の送信ユニット１２０５は更に、ダウンリンクパケットの宛先アドレスに従って第２のページングメッセージの宛先アドレスを決定し、第２のページングメッセージの宛先アドレスに従って、第２のページングメッセージを少なくとも１つの基地局に送信するよう構成されている。
【０３８７】
より具体的には、第１の送信ユニット１２０５は、
ＩＰ処理エントリ内にあり、かつ、ダウンリンクパケットの宛先アドレスに対応するグループエントリを、ダウンリンクパケットの宛先アドレスに従って決定し、グループエントリのアクションエントリを実行するよう構成された決定モジュール１２０５１であって、当該アクションエントリは、第２のページングメッセージの宛先アドレスを含む、決定モジュール１２０５１と、
グループエントリに対応するアクションエントリに従って、第１のページングメッセージを第２のページングメッセージに変更するよう構成された変更モジュール１２０５２であって、
更に、その宛先アドレスがアクションエントリに従って変更された第１のページングメッセージである第２のページングメッセージの、アクションエントリに含まれる宛先アドレスに、第１のページングメッセージの宛先アドレスを変更するよう構成された変更モジュール１２０５２と、
第２のページングメッセージを少なくとも１つの基地局に送信するよう構成された送信モジュール１２０５３とを含む。
【０３８８】
ＵＥに対応する位置エリアのグループエントリに第１のページングメッセージを出力し、ＵＥに対応する位置エリア内の基地局のアドレスを得た後、転送プレーンゲートウェイは、グループエントリに出力された第１のページングメッセージの宛先アドレスを、ＵＥに対応する位置エリアのグループエントリに従って、ＵＥに対応する位置エリア内の基地局のアドレスに設定し、これにより、第２のページングメッセージを形成する。
【０３８９】
グループエントリに出力された第１のページングメッセージを、アクションエントリに従って第２のページングメッセージに変更することは、第１のページングメッセージの宛先アドレスを、第２のページングメッセージの、アクションエントリに含まれる宛先アドレスに変更することである。
【０３９０】
具体的には、グループエントリに出力された第１のページングメッセージの宛先ＩＰアドレスは、ＵＥに対応する位置エリア内の基地局のＩＰアドレスに設定され、グループエントリに出力された第１のページングメッセージの発信元ＩＰアドレスは、転送プレーンゲートウェイのＩＰアドレスに設定され、グループエントリに出力された第１のページングメッセージの宛先ＭＡＣアドレスは、ＵＥに対応する位置エリア内の基地局のＭＡＣアドレスに設定され、グループエントリに出力された第１のページングメッセージの発信元ＭＡＣアドレスは、転送プレーンゲートウェイのＭＡＣアドレスに設定され、出力ポートは、グループエントリに出力された第１のページングメッセージのために選択され、当該出力ポートは、転送プレーンゲートウェイと、ＵＥに対応する位置エリア内の基地局とを接続するためのポートである。
【０３９１】
すなわち、第２のページングメッセージは、その宛先アドレスがアクションエントリに従って変更された第１のページングメッセージである。
【０３９２】
具体的には、転送プレーンゲートウェイが、グループエントリに出力された第１のページングメッセージの宛先アドレスを、ＵＥに対応する位置エリアのグループエントリに従って、ＵＥに対応する位置エリア内の基地局のアドレスに設定した後、転送プレーンゲートウェイは、ＵＥに対応する位置エリア内の基地局のアドレスに従って、第２のページングメッセージを位置エリア内の基地局に送信する。
【０３９３】
制御プレーンゲートウェイによって送信された、ＩＰ処理エントリを設定するための命令が事前設定された時間内に受信されない場合、第２の送信ユニット１２０６は、ページングタイムアウトイベントを制御プレーンゲートウェイに報告するよう構成され、これにより、制御プレーンゲートウェイは、端末のＩＰ処理エントリを削除するための命令を転送プレーンゲートウェイに送信する。ＩＰ処理エントリを設定するための命令は、端末によって送信されたページング応答メッセージに従って、制御プレーンゲートウェイによって対応して生成され、ページング応答メッセージは、第２のページングメッセージに従って、端末によって対応して生成される。
【０３９４】
第４の受信ユニット１２０７は、制御プレーンゲートウェイによって送信された、端末のＩＰ処理エントリを削除するための命令を受信し、端末のＩＰ処理エントリを削除するための命令に従って、端末のＩＰ処理エントリを削除し、ダウンリンクパケットを解放するよう構成されている。
【０３９５】
本実施形態から分かるように、ＵＥがアイドル状態に入った後、ダウンリンクパケットが直接トリガになり転送プレーンゲートウェイに第２のページングメッセージを基地局に送信させ、転送プレーンゲートウェイは、ページングメッセージをもたらすよう制御プレーンゲートウェイに命令する必要はない。従って、制御プレーンゲートウェイと転送プレーンゲートウェイとの間のシグナリングインタワーキングが低減され、ページング遅延が短縮される。
【０３９６】
図１３に示した実施形態を参照して、制御プレーンゲートウェイデバイスの構造を以下で更に説明する。
【０３９７】
制御プレーンゲートウェイデバイスは、
グループエントリ及びＩＰ処理エントリを転送プレーンゲートウェイに送信するよう構成された第３の送信ユニット１３０１であって、グループエントリはＩＰ処理エントリに対応している、第３の送信ユニット１３０１と、
転送プレーンゲートウェイが、グループエントリ及びＩＰ処理エントリに従って、第１のページングメッセージを第２のページングメッセージに変更するように、第１のページングメッセージを転送プレーンゲートウェイに送信するよう構成された第４の送信ユニット１３０２であって、第２のページングメッセージは端末をページングするために使用される、第４の送信ユニット１３０２とを備える。
【０３９８】
本実施形態に係る方法において、制御プレーンゲートウェイは、グループエントリと、グループエントリに対応するＩＰ処理エントリとを転送プレーンゲートウェイに送信し、第１のページングメッセージを送信する。転送プレーンゲートウェイは、グループエントリ及びＩＰ処理エントリに従って、第１のページングメッセージを第２のページングメッセージに変更し、これにより、転送プレーンゲートウェイは、第２のページングメッセージを使用することによって端末をページングし、端末をページングするのに制御プレーンゲートウェイは必要ない。従って、ページング時間が低減される。
【０３９９】
図１４に示した実施形態を参照して、以下で更に、制御プレーンゲートウェイデバイスの具体的な構造を詳細に説明する。
【０４００】
制御プレーンゲートウェイデバイスは具体的に、
グループエントリ及びＩＰ処理エントリを転送プレーンゲートウェイに送信するよう構成された第３の送信ユニット１４０１であって、グループエントリはＩＰ処理エントリに対応している、第３の送信ユニット１４０１と、
転送プレーンゲートウェイが、グループエントリ及びＩＰ処理エントリに従って、第１のページングメッセージを第２のページングメッセージに変更するように、第１のページングメッセージを転送プレーンゲートウェイに送信するよう構成された第４の送信ユニット１４０２であって、第２のページングメッセージは端末をページングするために使用される、第４の送信ユニット１４０２と、
転送プレーンゲートウェイが、ＩＰ処理エントリを設定するための命令に従って、アクションエントリを外側のトンネルカプセル化に設定し、ＩＰ処理エントリを、ダウンリンクパケットを受信する端末のアドレスと関連付けるように、ＩＰ処理エントリを設定するための命令を転送プレーンゲートウェイに送信するよう構成された第５の送信ユニット１４０３と、
転送プレーンゲートウェイがＩＰ処理エントリを削除するように、転送プレーンゲートウェイによって送信されたページングタイムアウトイベントが受信された場合、ＩＰ処理エントリを削除するための命令を転送プレーンゲートウェイに送信するよう構成された第５の受信ユニット１４０４であって、転送プレーンゲートウェイが、ＩＰ処理エントリを設定するための命令を、事前設定された時間内に受信しない場合、ページングタイムアウトイベントが生成され、ＩＰ処理エントリを設定するための命令は、アクションエントリを外側のトンネルカプセル化に設定し、ＩＰ処理エントリを、ダウンリンクパケットを受信する端末のアドレスと関連付けるよう転送プレーンゲートウェイに命令すべく使用される、第５の受信ユニット１４０４とを備える。
【０４０１】
本実施形態から分かるように、ＵＥがアイドル状態に入った後、ダウンリンクパケットが直接トリガになり転送プレーンゲートウェイに第２のページングメッセージを基地局に送信させ、制御プレーンゲートウェイは、グループエントリ及びＩＰ処理エントリを送信することによって転送プレーンゲートウェイに命令して第１のページングメッセージを変更させ、これにより、第１のページングメッセージを、端末をページングするために使用される第２のページングメッセージに変更する。転送プレーンゲートウェイは、ページングメッセージをもたらすよう制御プレーンゲートウェイに命令する必要はない。従って、制御プレーンゲートウェイと転送プレーンゲートウェイとの間のシグナリングインタワーキングが低減され、ページング遅延が短縮される。
【０４０２】
図１５に示した実施形態を参照して、以下で更に、制御プレーンゲートウェイデバイスの具体的な構造を詳細に説明する。
【０４０３】
第３の送信ユニット１５０１は、グループエントリ及びＩＰ処理エントリを転送プレーンゲートウェイに送信するよう構成され、ここで、グループエントリはＩＰ処理エントリに対応している。
【０４０４】
第１の修正ユニット１５０２は、更新された位置エリアに位置する端末が、修正されたＩＰ処理エントリに対応しているグループエントリを使用することによってページングされ得るように、端末が現在の位置エリアから更新された位置エリアに移動したと決定された場合、更新された位置エリアに位置する端末に対応しているＩＰ処理エントリを修正するよう構成されている。
【０４０５】
第２の修正ユニット１５０３は、端末のページングパラメータが変化したと決定された場合、ページングパラメータが変化した端末に対応しているＩＰ処理エントリを修正し、ＩＰ処理エントリにバッファリングされた第１のページングメッセージを更新するよう構成されている。
【０４０６】
第４の送信ユニット１５０４は、転送プレーンゲートウェイが、グループエントリ及びＩＰ処理エントリに従って、第１のページングメッセージを第２のページングメッセージに変更するように、第１のページングメッセージを転送プレーンゲートウェイに送信するよう構成されている。第２のページングメッセージは、端末をページングするために使用される。
【０４０７】
第５の送信ユニット１５０５は、転送プレーンゲートウェイが、ＩＰ処理エントリを設定するための命令に従って、アクションエントリを外側のトンネルカプセル化に設定し、ＩＰ処理エントリを、ダウンリンクパケットを受信する端末のアドレスと関連付けるように、ＩＰ処理エントリを設定するための命令を転送プレーンゲートウェイに送信するよう構成されている。
【０４０８】
第５の受信ユニット１５０６は、転送プレーンゲートウェイがＩＰ処理エントリを削除するように、転送プレーンゲートウェイによって送信されたページングタイムアウトイベントが受信された場合、ＩＰ処理エントリを削除するための命令を転送プレーンゲートウェイに送信するよう構成されている。ページングタイムアウトイベントは、転送プレーンゲートウェイが、ＩＰ処理エントリを設定するための命令を事前設定された時間内に受信しない場合に生成され、ＩＰ処理エントリを設定するための命令は、アクションエントリを外側のトンネルカプセル化に設定し、ＩＰ処理エントリを、ダウンリンクパケットを受信する端末のアドレスと相関させるよう転送プレーンゲートウェイに命令すべく使用される。
【０４０９】
本実施形態から分かるように、ＵＥが現在の位置エリアから更新された位置エリアに移動した場合、制御プレーンゲートウェイは、更新された位置エリアに位置する端末に対応しているＩＰ処理エントリを修正し、これにより、更新された位置エリアに位置する端末は、修正されたＩＰ処理エントリに対応しているグループエントリを使用することによってページングされ得る。加えて、ＵＥがアイドル状態に入った後、ダウンリンクパケットが直接トリガになり転送プレーンゲートウェイに第２のページングメッセージを基地局に送信させ、制御プレーンゲートウェイは、グループエントリ及びＩＰ処理エントリを送信することによって転送プレーンゲートウェイに命令して、第１のページングメッセージを変更させ、これにより、第１のページングメッセージを、端末をページングするために使用される第２のページングメッセージに変更し、これにより、転送プレーンゲートウェイは、更新された位置エリアに位置する端末を、第２のページングメッセージを使用することによってページングし、転送プレーンゲートウェイは、ページングメッセージをもたらすよう制御プレーンゲートウェイに命令する必要はない。従って、制御プレーンゲートウェイと転送プレーンゲートウェイとの間のシグナリングインタワーキングが低減され、ページング遅延が短縮される。
【０４１０】
本発明の実施形態は更に、ページング方法を実施するために使用されるシステムを提供する。当該システムは、
各位置エリアに位置する基地局と、当該位置エリアに位置し、かつ、基地局に接続された端末とを備え、当該システムは更に、
転送プレーンゲートウェイデバイス及び制御プレーンゲートウェイデバイスを備え、転送プレーンゲートウェイデバイスは、制御プレーンゲートウェイデバイスに接続され、転送プレーンゲートウェイデバイスは、基地局及び端末に別個に接続され、制御プレーンゲートウェイデバイスは、基地局及び端末に別個に接続されている。
【０４１１】
転送プレーンゲートウェイデバイスの具体的な構造及び動作手順については、前述の実施形態を参照されたい。本実施形態において詳細は記載しない。
【０４１２】
制御プレーンゲートウェイデバイスの具体的な構造及び動作手順については、前述の実施形態を参照されたい。本実施形態において詳細は記載しない。
【０４１３】
上記では、ユニットの形態の機能エンティティの観点から本発明の実施形態における転送プレーンゲートウェイデバイスを説明した。以下では、ハードウェア処理の観点から、本発明の実施形態における転送プレーンゲートウェイデバイスを具体的に説明する。図１６を参照すると、本発明の一実施形態における転送プレーンゲートウェイデバイス１６００の別の実施形態は、以下のものを備える。
【０４１４】
図に示した転送プレーンゲートウェイデバイス１６００は一例に過ぎないことが理解されるべきであり、転送プレーンゲートウェイデバイス１６００は、図に示したコンポーネントより多い又はより少ないコンポーネントを有してよい、２つ又はそれより多いコンポーネントを組み合わせてよい、又は、異なるコンポーネント構成を有してよい。図に示した各コンポーネントは、１又は複数の信号処理回路及び／又は特定用途向け集積回路を含むハードウェア、ソフトウェア、又は、ハードウェア及びソフトウェアの組み合わせにおいて実施されてよい。
【０４１５】
本実施形態において提供された転送プレーンゲートウェイデバイス１６００は、転送プレーンゲートウェイデバイスの一例に過ぎないことに留意されたい。本発明の本実施形態に関連した転送プレーンゲートウェイデバイスは、図１６に示したコンポーネントより多い又はより少ないコンポーネントを有してよい、２つ又はそれより多いコンポーネントを組み合わせてよい、又は、異なるコンポーネント構成又は設定を有してよい。各コンポーネントは、１又は複数の信号処理回路及び／又は特定用途向け集積回路を含むハードウェア、ソフトウェア、又は、ハードウェア及びソフトウェアの組み合わせにおいて実施されてよい。
【０４１６】
本実施形態において提供される転送プレーンゲートウェイデバイスを以下で詳細に説明する。
【０４１７】
メモリ１６０１：メモリ１６０１は、中央処理装置１６０３、周辺インタフェース１６０４、及び同様のものによってアクセスされてよい。メモリ１６０１は、高速ランダムアクセスメモリを含んでよく、更に不揮発性メモリ、例えば、１又は複数の、磁気ディスク記憶装置、フラッシュメモリ、又は、他の揮発性ソリッドステートメモリを含んでよい。
【０４１８】
周辺インタフェース１６０４：周辺インタフェースは、デバイスの入力ペリフェラル及び出力ペリフェラルを中央処理装置１６０３及びメモリ１６０１に接続してよい。
【０４１９】
ＲＦ回路１６０２：ＲＦ回路１６０２は主に、基地局と、無線ネットワーク、すなわち、無線ネットワークに接続された各転送プレーンゲートウェイデバイスとの間の通信を確立し、基地局と無線ネットワークとの間でのデータの送受信、例えば、制御コマンドの送信、を実施するよう構成されている。具体的には、ＲＦ回路１６０２はＲＦ信号を送受信する。ＲＦ信号は、電磁信号とも称される。ＲＦ回路１６０２は、電気信号を電磁信号に変換する、又は、電磁信号を電気信号に変換し、当該電磁信号を使用することによって通信ネットワーク及び別のデバイスと通信する。ＲＦ回路１６０２は、これらの機能を実施するための既知の回路を含んでよく、限定はされないが、アンテナシステム、ＲＦトランシーバ、１又は複数の増幅器、チューナ、１又は複数の発振器、デジタル信号プロセッサ、ＣＯＤＥＣチップ群、加入者識別モジュール（Ｓｕｂｓｃｒｉｂｅｒ  Ｉｄｅｎｔｉｔｙ  Ｍｏｄｕｌｅ、ＳＩＭ）、又は同様のものを含む。ＲＦ回路は、ＷＩＦＩ回路であってよい、又は、ブルートゥース（登録商標）回路であってよい、又は、赤外線回路であってよい。このことは本明細書において限定されない。
【０４２０】
電力管理チップ１６０５：電力管理チップ１６０５は、中央処理装置１６０３と、周辺インタフェースに接続されたハードウェアとに電力を供給し、これらの電力を管理するよう構成されている。
【０４２１】
中央処理装置１６０３は具体的に以下の動作：
ダウンリンクパケットを受信する動作、及び、
ダウンリンクパケットに従って、第２のページングメッセージを少なくとも１つの基地局に送信する動作であって、第２のページングメッセージは端末をページングするために使用される、動作を実行する。
【０４２２】
本発明の他の実施形態において、中央処理装置１６０３は更に以下の動作：
制御プレーンゲートウェイによって送信された第１のページングメッセージを受信する動作、及び、
ダウンリンクパケットの宛先アドレスに従って第２のページングメッセージの宛先アドレスを決定し、第２のページングメッセージの宛先アドレスに従って、第２のページングメッセージを少なくとも１つの基地局に送信する動作を実行するよう構成されている。
【０４２３】
本発明の他の実施形態において、中央処理装置１６０３は更に以下の動作：
制御プレーンゲートウェイによって送信されたグループエントリ及びＩＰ処理エントリを受信する動作、
ＩＰ処理エントリ内にあり、かつ、ダウンリンクパケットの宛先アドレスに対応しているグループエントリを、ダウンリンクパケットの宛先アドレスに従って決定し、グループエントリのアクションエントリを実行する動作であって、当該アクションエントリは、第２のページングメッセージの宛先アドレスを含む動作、
グループエントリに対応するアクションエントリに従って、第１のページングメッセージを第２のページングメッセージに変更する動作、及び、
第２のページングメッセージを少なくとも１つの基地局に送信する動作を実行するよう構成されている。
【０４２４】
本発明の他の実施形態において、中央処理装置１６０３は更に以下の動作：
第１のページングメッセージの宛先アドレスを、第２のページングメッセージの、アクションエントリに含まれる宛先アドレスに変更する動作であって、第２のページングメッセージは、その宛先アドレスがアクションエントリに従って変更された第１のページングメッセージである、動作を実行するよう構成されている。
【０４２５】
本発明の他の実施形態において、中央処理装置１６０３は更に以下の動作：
ダウンリンクパケットをバッファリングする動作を実行するよう構成されている。
【０４２６】
本発明の他の実施形態において、中央処理装置１６０３は更に以下の動作：
制御プレーンゲートウェイが、端末のＩＰ処理エントリを削除するための命令を転送プレーンゲートウェイに送信するように、制御プレーンゲートウェイによって送信された、ＩＰ処理エントリを設定するための命令が事前設定された時間内に受信されない場合、ページングタイムアウトイベントを制御プレーンゲートウェイに報告する動作であって、ＩＰ処理エントリを設定するための命令は、端末によって送信されたページング応答メッセージに従って、制御プレーンゲートウェイによって対応して生成され、ページング応答メッセージは、第２のページングメッセージに従って、端末によって対応して生成される、動作、及び、
制御プレーンゲートウェイによって送信された、端末のＩＰ処理エントリを削除するための命令を受信し、端末のＩＰ処理エントリを削除するための命令に従って、端末のＩＰ処理エントリを削除し、ダウンリンクパケットを解放する動作を実行するよう構成されている。
【０４２７】
上記では、ユニットの形態の機能エンティティの観点から本発明の実施形態における制御プレーンゲートウェイデバイスを説明した。以下では、ハードウェア処理の観点から、本発明の実施形態における制御プレーンゲートウェイデバイスを具体的に説明する。図１７を参照すると、本発明の一実施形態における制御プレーンゲートウェイデバイス１７００の別の実施形態は、以下のものを備える。
【０４２８】
図に示した制御プレーンゲートウェイデバイス１７００は一例に過ぎないことが理解されるべきであり、制御プレーンゲートウェイデバイス１７００は、図に示したコンポーネントより多い又はより少ないコンポーネントを有してよい、２つ又はそれより多いコンポーネントを組み合わせてよい、又は、異なるコンポーネント構成を有してよい。図に示した各コンポーネントは、１又は複数の信号処理回路及び／又は特定用途向け集積回路を含むハードウェア、ソフトウェア、又は、ハードウェア及びソフトウェアの組み合わせにおいて実施されてよい。
【０４２９】
本実施形態において提供された制御プレーンゲートウェイデバイス１７００は、制御プレーンゲートウェイデバイスの一例に過ぎないことに留意されたい。本発明の本実施形態に関連した制御プレーンゲートウェイデバイスは、図１７に示したコンポーネントより多い又はより少ないコンポーネントを有してよい、２つ又はそれより多いコンポーネントを組み合わせてよい、又は、異なるコンポーネント構成又は設定を有してよい。各コンポーネントは、１又は複数の信号処理回路及び／又は特定用途向け集積回路を含むハードウェア、ソフトウェア、又は、ハードウェア及びソフトウェアの組み合わせにおいて実施されてよい。
【０４３０】
本実施形態において提供される制御プレーンゲートウェイデバイスを以下で詳細に説明する。
【０４３１】
メモリ１７０１：メモリ１７０１は、中央処理装置１７０３、周辺インタフェース１７０４、及び同様のものによってアクセスされてよい。メモリ１７０１は、高速ランダムアクセスメモリを含んでよく、更に不揮発性メモリ、例えば、１又は複数の、磁気ディスク記憶装置、フラッシュメモリ、又は、他の揮発性ソリッドステートメモリを含んでよい。
【０４３２】
周辺インタフェース１７０４：周辺インタフェースは、デバイスの入力ペリフェラル及び出力ペリフェラルを中央処理装置１７０３及びメモリ１７０１に接続してよい。
【０４３３】
ＲＦ回路１７０２：ＲＦ回路１７０２は主に、基地局と、無線ネットワーク、すなわち、無線ネットワークに接続された各制御プレーンゲートウェイデバイスとの間の通信を確立し、基地局と無線ネットワークとの間でのデータの送受信、例えば、制御コマンドの送信、を実施するよう構成されている。具体的には、ＲＦ回路１７０２はＲＦ信号を送受信する。ＲＦ信号は、電磁信号とも称される。ＲＦ回路１７０２は、電気信号を電磁信号に変換する、又は、電磁信号を電気信号に変換し、当該電磁信号を使用することによって通信ネットワーク及び別のデバイスと通信する。ＲＦ回路１７０２は、これらの機能を実施するための既知の回路を含んでよく、限定はされないが、アンテナシステム、ＲＦトランシーバ、１又は複数の増幅器、チューナ、１又は複数の発振器、デジタル信号プロセッサ、ＣＯＤＥＣチップ群、加入者識別モジュール（Ｓｕｂｓｃｒｉｂｅｒ  Ｉｄｅｎｔｉｔｙ  Ｍｏｄｕｌｅ、ＳＩＭ）、又は同様のものを含む。ＲＦ回路は、ＷＩＦＩ回路であってよい、又は、ブルートゥース（登録商標）回路であってよい、又は、赤外線回路であってよい。このことは本明細書において限定されない。
【０４３４】
電力管理チップ１７０５：電力管理チップ１７０５は、中央処理装置１７０３と、周辺インタフェースに接続されたハードウェアとに電力を供給し、これらの電力を管理するよう構成されている。
【０４３５】
中央処理装置１７０３は具体的に以下の動作：
グループエントリ及びＩＰ処理エントリを転送プレーンゲートウェイに送信する動作であって、グループエントリはＩＰ処理エントリに対応している、動作、及び、
転送プレーンゲートウェイが、グループエントリ及びＩＰ処理エントリに従って、第１のページングメッセージを第２のページングメッセージに変更するように、第１のページングメッセージを転送プレーンゲートウェイに送信する動作であって、第２のページングメッセージは端末をページングするために使用される、動作を実行する。
【０４３６】
本発明の他の実施形態において、中央処理装置１７０３は更に以下の動作：
転送プレーンゲートウェイが、ＩＰ処理エントリを設定するための命令に従って、アクションエントリを外側のトンネルカプセル化に設定し、ＩＰ処理エントリを、ダウンリンクパケットを受信する端末のアドレスと関連付けるように、ＩＰ処理エントリを設定するための命令を転送プレーンゲートウェイに送信する動作を実行するよう構成されている。
【０４３７】
本発明の他の実施形態において、中央処理装置１７０３は更に以下の動作：
転送プレーンゲートウェイが、ＩＰ処理エントリを削除するように、転送プレーンゲートウェイによって送信されたページングタイムアウトイベントが受信された場合、ＩＰ処理エントリを削除するための命令を転送プレーンゲートウェイに送信する動作であって、転送プレーンゲートウェイが、ＩＰ処理エントリを設定するための命令を事前設定された時間内に受信しない場合、ページングタイムアウトイベントは生成され、ＩＰ処理エントリを設定するための命令は、アクションエントリを外側のトンネルカプセル化に設定し、ＩＰ処理エントリを、ダウンリンクパケットを受信する端末のアドレスと関連付けるよう転送プレーンゲートウェイに命令すべく使用される、動作を実行するよう構成されている。
【０４３８】
本発明の他の実施形態において、中央処理装置１７０３は更に以下の動作：
更新された位置エリアに位置する端末が、修正されたＩＰ処理エントリに対応しているグループエントリを使用することによってページングされ得るように、端末が現在の位置エリアから更新された位置エリアに移動したと決定された場合、更新された位置エリアに位置する端末に対応しているＩＰ処理エントリを修正する動作を実行するよう構成されている。
【０４３９】
本発明の他の実施形態において、中央処理装置１７０３は更に以下の動作：
端末のページングパラメータが変化したと決定された場合、ページングパラメータが変化した端末に対応しているＩＰ処理エントリを修正し、ＩＰ処理エントリにバッファリングされた第１のページングメッセージを更新する動作を実行するよう構成されている。
【０４４０】
本発明に係るページング方法、関連デバイス、及びシステムが、前述の実施形態を使用することによって詳細に説明されている。前述の実施形態の記載は、本発明の方法及び核となる概念の理解を助けることが意図されているにすぎない。加えて、当業者は、本発明の概念に基づいて、特定の実施方式及び適用範囲に変更を加えてよい。従って、本明細書の内容は、本発明を限定するものと解釈されるべきではない
［項目１］
ダウンリンクパケットを転送プレーンゲートウェイによって受信する段階と、
上記ダウンリンクパケットに従って、第２のページングメッセージを上記転送プレーンゲートウェイによって少なくとも１つの基地局に送信する段階であって、上記第２のページングメッセージは、端末をページングするために使用される、段階と
を備えるページング方法。
［項目２］
ダウンリンクパケットを転送プレーンゲートウェイによって受信する上記段階の前に、更に、
制御プレーンゲートウェイによって送信された第１のページングメッセージを上記転送プレーンゲートウェイによって受信する段階を備え、
上記ダウンリンクパケットに従って、第２のページングメッセージを上記転送プレーンゲートウェイによって少なくとも１つの基地局に送信する上記段階は、上記ダウンリンクパケットの宛先アドレスに従って、上記第２のページングメッセージの宛先アドレスを上記転送プレーンゲートウェイによって決定し、上記第２のページングメッセージの上記宛先アドレスに従って、上記第２のページングメッセージを上記少なくとも１つの基地局に送信する段階を有する、項目１に記載のページング方法。
［項目３］
ダウンリンクパケットを転送プレーンゲートウェイによって受信する上記段階の前に、更に、上記制御プレーンゲートウェイによって送信されたグループエントリ及びＩＰ処理エントリを上記転送プレーンゲートウェイによって受信する段階を備え、
上記ダウンリンクパケットの宛先アドレスに従って、上記第２のページングメッセージの宛先アドレスを上記転送プレーンゲートウェイによって決定し、上記第２のページングメッセージの上記宛先アドレスに従って、上記第２のページングメッセージを上記少なくとも１つの基地局に送信する上記段階は、
上記ＩＰ処理エントリ内にあり、かつ、上記ダウンリンクパケットの上記宛先アドレスに対応するグループエントリを、上記ダウンリンクパケットの上記宛先アドレスに従って、上記転送プレーンゲートウェイによって決定し、上記グループエントリのアクションエントリを実行する段階であって、上記アクションエントリは、上記第２のページングメッセージの上記宛先アドレスを含む、段階と、
上記グループエントリに対応する上記アクションエントリに従って、上記転送プレーンゲートウェイによって、上記第１のページングメッセージを上記第２のページングメッセージに変更する段階と、
上記第２のページングメッセージを上記転送プレーンゲートウェイによって上記少なくとも１つの基地局に送信する段階とを含む、項目２に記載のページング方法。
［項目４］
上記グループエントリに対応する上記アクションエントリに従って、上記転送プレーンゲートウェイによって、上記第１のページングメッセージを上記第２のページングメッセージに変更する上記段階は、
上記第１のページングメッセージの宛先アドレスを、上記第２のページングメッセージの、上記アクションエントリに含まれる上記宛先アドレスに変更する段階であって、上記第２のページングメッセージは、その宛先アドレスが上記アクションエントリに従って変更された上記第１のページングメッセージである、段階を含む、項目３に記載のページング方法。
［項目５］
上記ＩＰ処理エントリは、マッチエントリ及びグループエントリ識別子を含み、上記マッチエントリは、上記ダウンリンクパケットの上記宛先アドレスに従って、上記ＩＰ処理エントリをマッチングすべく使用され、上記グループエントリ識別子は、上記グループエントリと上記ＩＰ処理エントリとの間の対応を示すべく使用される、
項目２から４の何れか一項に記載のページング方法。
［項目６］
上記ダウンリンクパケットを受信する場合、上記ダウンリンクパケットを上記転送プレーンゲートウェイによってバッファリングする段階を更に備える、項目１から５の何れか一項に記載のページング方法。
［項目７］
上記ＩＰ処理エントリは、コンテンツ記憶エントリを更に含み、上記コンテンツ記憶エントリは、上記コンテンツ記憶エントリに上記第１のページングメッセージを格納するために使用される、項目２から５の何れか一項に記載のページング方法。
［項目８］
上記ダウンリンクパケットに従って、第２のページングメッセージを上記転送プレーンゲートウェイによって少なくとも１つの基地局に送信する上記段階の後に、更に、
上記制御プレーンゲートウェイが、上記端末の上記ＩＰ処理エントリを削除するための命令を上記転送プレーンゲートウェイに送信するように、上記制御プレーンゲートウェイによって送信された、上記ＩＰ処理エントリを設定するための命令を、上記転送プレーンゲートウェイが事前設定された時間内に受信しない場合、ページングタイムアウトイベントを上記転送プレーンゲートウェイによって上記制御プレーンゲートウェイに報告する段階であって、上記ＩＰ処理エントリを設定するための上記命令は、上記端末によって送信されたページング応答メッセージに従って、上記制御プレーンゲートウェイによって対応して生成され、上記ページング応答メッセージは、上記第２のページングメッセージに従って、上記端末によって対応して生成される、段階と、
上記制御プレーンゲートウェイによって送信された、上記端末の上記ＩＰ処理エントリを削除するための上記命令を上記転送プレーンゲートウェイによって受信し、上記端末の上記ＩＰ処理エントリを削除するための上記命令に従って、上記端末の上記ＩＰ処理エントリを削除し、上記ダウンリンクパケットを解放する段階とを備える、項目１から７の何れか一項に記載のページング方法。
［項目９］
上記端末に対応する基地局情報は、１又は複数の位置エリア内の基地局のアドレスであり、上記１又は複数の位置エリアは、上記端末の現在の位置エリアを含む、項目１から８の何れか一項に記載のページング方法。
［項目１０］
上記位置エリアは、モバイルネットワーク内のトラッキングエリアを含む、項目９に記載のページング方法。
［項目１１］
グループエントリ及びＩＰ処理エントリを制御プレーンゲートウェイによって転送プレーンゲートウェイに送信する段階であって、上記グループエントリは上記ＩＰ処理エントリに対応している、段階と、
上記転送プレーンゲートウェイが、上記グループエントリ及び上記ＩＰ処理エントリに従って、第１のページングメッセージを第２のページングメッセージに変更するように、上記第１のページングメッセージを上記制御プレーンゲートウェイによって上記転送プレーンゲートウェイに送信する段階であって、上記第２のページングメッセージは、端末をページングするために使用される、段階と
を備えるページング方法。
［項目１２］
上記グループエントリは、アクションエントリと、上記グループエントリにインデックスを付けるべく使用されるグループエントリ識別子とを含み、上記第１のページングメッセージの宛先アドレスが、上記第２のページングメッセージの、上記アクションエントリに含まれる宛先アドレスに変更されるように、上記アクションエントリは、上記第１のページングメッセージを上記第２のページングメッセージに変更するよう上記転送プレーンゲートウェイに命令すべく使用され、上記第２のページングメッセージは、その宛先アドレスが、上記アクションエントリに従って変更された上記第１のページングメッセージであり、上記転送プレーンゲートウェイが、上記第２のページングメッセージの上記宛先アドレスに従って、上記第２のページングメッセージを少なくとも１つの基地局に送信するように、上記アクションエントリは、上記第２のページングメッセージの上記宛先アドレスを含む、項目１１に記載のページング方法。
［項目１３］
上記ＩＰ処理エントリは、マッチエントリ及びグループエントリ識別子を含み、上記マッチエントリは、上記転送プレーンゲートウェイが、ダウンリンクパケットの宛先アドレスに従って、上記ＩＰ処理エントリをマッチングできるようにすべく使用され、上記グループエントリ識別子は、上記グループエントリと上記ＩＰ処理エントリとの間の対応を示すべく使用される、項目１２に記載のページング方法。
［項目１４］
上記ＩＰ処理エントリは更に、コンテンツ記憶エントリを含み、上記コンテンツ記憶エントリは、上記第１のページングメッセージを上記コンテンツ記憶エントリに格納するよう上記転送プレーンゲートウェイに命令すべく使用される、項目１１から１３の何れか一項に記載のページング方法。
［項目１５］
第１のページングメッセージを上記制御プレーンゲートウェイによって上記転送プレーンゲートウェイに送信する上記段階の後、更に、
上記転送プレーンゲートウェイが、上記ＩＰ処理エントリを設定するための命令に従って、上記アクションエントリを外側のトンネルカプセル化に設定するように、上記ＩＰ処理エントリを設定するための上記命令を上記制御プレーンゲートウェイによって上記転送プレーンゲートウェイに送信する段階を備える項目１１から１４の何れか一項に記載のページング方法。
［項目１６］
第１のページングメッセージを上記制御プレーンゲートウェイによって上記転送プレーンゲートウェイに送信する上記段階の後、更に、
上記転送プレーンゲートウェイが上記ＩＰ処理エントリを削除するように、上記制御プレーンゲートウェイが、上記転送プレーンゲートウェイによって送信されたページングタイムアウトイベントを受信した場合、上記ＩＰ処理エントリを削除するための命令を上記制御プレーンゲートウェイによって上記転送プレーンゲートウェイに送信する段階であって、上記ページングタイムアウトイベントは、上記ＩＰ処理エントリを設定するための命令を上記転送プレーンゲートウェイが事前設定された時間内に受信しない場合に生成され、上記ＩＰ処理エントリを設定するための上記命令は、上記アクションエントリを外側のトンネルカプセル化に設定するよう上記転送プレーンゲートウェイに命令すべく使用される、段階を備える項目１１から１４の何れか一項に記載のページング方法。
［項目１７］
更新された位置エリアに位置する上記端末が、修正されたＩＰ処理エントリに対応しているグループエントリを使用することによってページングされ得るように、上記端末が現在の位置エリアから上記更新された位置エリアに移動したと上記制御プレーンゲートウェイが決定した場合、上記更新された位置エリアに位置する上記端末に対応しているＩＰ処理エントリを上記制御プレーンゲートウェイによって修正する段階を更に備える項目１１から１６の何れか一項に記載のページング方法。
［項目１８］
上記端末のページングパラメータが変化したと上記制御プレーンゲートウェイが決定した場合、上記制御プレーンゲートウェイは、ページングパラメータが変化した上記端末に対応しているＩＰ処理エントリを修正し、上記ＩＰ処理エントリにバッファリングされた第１のページングメッセージを更新する、項目１１から１６の何れか一項に記載のページング方法。
［項目１９］
ダウンリンクパケットを受信するよう構成された第１の受信ユニットと、
上記ダウンリンクパケットに従って第２のページングメッセージを少なくとも１つの基地局に送信するよう構成された第１の送信ユニットであって、上記第２のページングメッセージは、端末をページングするために使用される、第１の送信ユニットと
を備える転送プレーンゲートウェイデバイス。
［項目２０］
制御プレーンゲートウェイによって送信された第１のページングメッセージを受信するよう構成された第２の受信ユニットを更に備え、
上記第１の送信ユニットは、更に、上記ダウンリンクパケットの宛先アドレスに従って、上記第２のページングメッセージの宛先アドレスを決定し、上記第２のページングメッセージの上記宛先アドレスに従って、上記第２のページングメッセージを上記少なくとも１つの基地局に送信するよう構成されている、項目１９に記載の転送プレーンゲートウェイデバイス。
［項目２１］
上記制御プレーンゲートウェイによって送信されたグループエントリ及びＩＰ処理エントリを受信するよう構成された第３の受信ユニットを更に備え、
上記第１の送信ユニットは、
上記ＩＰ処理エントリ内にあり、かつ、上記ダウンリンクパケットの上記宛先アドレスに対応しているグループエントリを、上記ダウンリンクパケットの上記宛先アドレスに従って決定し、上記グループエントリのアクションエントリを実行するよう構成された決定モジュールであって、上記アクションエントリは、上記第２のページングメッセージの上記宛先アドレスを含む、決定モジュールと、
上記グループエントリに対応する上記アクションエントリに従って、上記第１のページングメッセージを上記第２のページングメッセージに変更するよう構成された変更モジュールと、
上記第２のページングメッセージを上記少なくとも１つの基地局に送信するよう構成された送信モジュールとを有する、項目２０に記載の転送プレーンゲートウェイデバイス。
［項目２２］
上記変更モジュールは、更に、上記第１のページングメッセージの宛先アドレスを、上記第２のページングメッセージの、上記アクションエントリに含まれる上記宛先アドレスに変更するよう構成されており、上記第２のページングメッセージは、その宛先アドレスが、上記アクションエントリに従って変更された上記第１のページングメッセージである、項目２１に記載の転送プレーンゲートウェイデバイス。
［項目２３］
上記ダウンリンクパケットをバッファリングするよう構成された記憶ユニット
を更に備える項目１９から２２の何れか一項に記載の転送プレーンゲートウェイデバイス。
［項目２４］
上記制御プレーンゲートウェイが、上記端末の上記ＩＰ処理エントリを削除するための命令を上記転送プレーンゲートウェイに送信するように、上記制御プレーンゲートウェイによって送信された、上記ＩＰ処理エントリを設定するための命令が、事前設定された時間内に受信されない場合、ページングタイムアウトイベントを上記制御プレーンゲートウェイに報告するよう構成された第２の送信ユニットであって、上記ＩＰ処理エントリを設定するための上記命令は、上記端末によって送信されたページング応答メッセージに従って、上記制御プレーンゲートウェイによって対応して生成され、上記ページング応答メッセージは、上記第２のページングメッセージに従って、上記端末によって対応して生成される、第２の送信ユニットと、
上記制御プレーンゲートウェイによって送信された、上記端末の上記ＩＰ処理エントリを削除するための命令を受信し、上記端末の上記ＩＰ処理エントリを削除するための上記命令に従って、上記端末の上記ＩＰ処理エントリを削除し、上記ダウンリンクパケットを解放するよう構成された第４の受信ユニットと、
を更に備える項目１９から２３の何れか一項に記載の転送プレーンゲートウェイデバイス。
［項目２５］
グループエントリ及びＩＰ処理エントリを転送プレーンゲートウェイに送信するよう構成された第３の送信ユニットであって、上記グループエントリは、上記ＩＰ処理エントリに対応している、第３の送信ユニットと、
上記転送プレーンゲートウェイが、上記グループエントリ及び上記ＩＰ処理エントリに従って、第１のページングメッセージを第２のページングメッセージに変更するように、上記第１のページングメッセージを上記転送プレーンゲートウェイに送信するよう構成された第４の送信ユニットであって、上記第２のページングメッセージは、端末をページングするために使用される、第４の送信ユニットと、
を備える制御プレーンゲートウェイデバイス。
［項目２６］
上記転送プレーンゲートウェイが、上記ＩＰ処理エントリを設定し、上記ＩＰ処理エントリを、上記ダウンリンクパケットを受信する端末のアドレスと関連付けるための命令に従って、アクションエントリを外側のトンネルカプセル化に設定するように、上記ＩＰ処理エントリを設定するための上記命令を上記転送プレーンゲートウェイに送信するよう構成された第５の送信ユニット
を更に備える項目２５に記載の制御プレーンゲートウェイデバイス。
［項目２７］
上記転送プレーンゲートウェイが上記ＩＰ処理エントリを削除するように、上記転送プレーンゲートウェイによって送信されたページングタイムアウトイベントが受信された場合、上記ＩＰ処理エントリを削除するための命令を上記転送プレーンゲートウェイに送信するよう構成された第５の受信ユニットであって、上記ＩＰ処理エントリを設定するための命令を、上記転送プレーンゲートウェイが事前設定された時間内に受信しない場合に上記ページングタイムアウトイベントが生成され、上記ＩＰ処理エントリを設定するための上記命令は、上記アクションエントリを外側のトンネルカプセル化に設定し、上記ＩＰ処理エントリを、上記ダウンリンクパケットを受信する端末のアドレスと関連付けるよう上記転送プレーンゲートウェイに命令すべく使用される、第５の受信ユニット
を更に備える項目２５に記載の制御プレーンゲートウェイデバイス。
［項目２８］
更新された位置エリアに位置する上記端末が、修正されたＩＰ処理エントリに対応しているグループエントリを使用することによってページングされ得るように、上記端末が、現在の位置エリアから上記更新された位置エリアに移動した場合、上記更新された位置エリアに位置する上記端末に対応しているＩＰ処理エントリを修正するよう構成された第１の修正ユニット
を更に備える項目２５から２７の何れか一項に記載の制御プレーンゲートウェイデバイス。
［項目２９］
上記端末のページングパラメータが変化した場合、ページングパラメータが変化した上記端末に対応しているＩＰ処理エントリを修正し、上記ＩＰ処理エントリにバッファリングされた第１のページングメッセージを更新するよう構成された第２の修正ユニット
を更に備える項目２５から２７の何れか一項に記載の制御プレーンゲートウェイデバイス。
［項目３０］
システムであって、上記システムは、それぞれの位置エリアに位置する基地局と、上記位置エリアに位置し、かつ、上記基地局に接続された端末とを備え、
上記システムは更に、項目１９から２４の何れか一項に記載の転送プレーンゲートウェイデバイスと、
項目２５から２９の何れか一項に記載の制御プレーンゲートウェイデバイスとを備え、
上記転送プレーンゲートウェイデバイスは上記制御プレーンゲートウェイデバイスに接続され、上記転送プレーンゲートウェイデバイスは、上記基地局及び上記端末に接続されており、上記制御プレーンゲートウェイデバイスは、上記基地局及び上記端末に接続されている、システム。
［項目３１］
メモリ、中央処理装置、周辺インタフェース、ＲＦ回路、電力管理チップ、及び通信バスを備える転送プレーンゲートウェイデバイスであって、
上記中央処理装置は、以下の動作：
ダウンリンクパケットを受信する動作、及び
上記ダウンリンクパケットに従って、第２のページングメッセージを少なくとも１つの基地局に送信する動作であって、上記第２のページングメッセージは、端末をページングするために使用される、動作を実行する、
転送プレーンゲートウェイデバイス。
［項目３２］
上記中央処理装置は具体的に以下の動作：
制御プレーンゲートウェイによって送信された第１のページングメッセージを受信する動作、及び、
上記ダウンリンクパケットの宛先アドレスに従って、上記第２のページングメッセージの宛先アドレスを決定し、上記第２のページングメッセージの上記宛先アドレスに従って、上記第２のページングメッセージを上記少なくとも１つの基地局に送信する動作を実行する、項目３１に記載の転送プレーンゲートウェイデバイス。
［項目３３］
上記中央処理装置は具体的に以下の動作：
上記制御プレーンゲートウェイによって送信されたグループエントリ及びＩＰ処理エントリを受信する動作、
上記ダウンリンクパケットの上記宛先アドレスに従って、上記ＩＰ処理エントリ内にあり、かつ、上記ダウンリンクパケットの上記宛先アドレスに対応しているグループエントリを決定し、上記グループエントリのアクションエントリを実行する動作であって、上記アクションエントリは、上記第２のページングメッセージの上記宛先アドレスを含む、動作、
上記グループエントリに対応するアクションエントリに従って、上記第１のページングメッセージを上記第２のページングメッセージに変更する動作、及び、
上記第２のページングメッセージを上記少なくとも１つの基地局に送信する動作を実行する、項目３２に記載の転送プレーンゲートウェイデバイス。
［項目３４］
上記中央処理装置は具体的に以下の動作：
上記第１のページングメッセージの宛先アドレスを、上記第２のページングメッセージの、上記アクションエントリに含まれる上記宛先アドレスに変更する動作であって、上記第２のページングメッセージは、その宛先アドレスがアクションエントリに従って変更された上記第１のページングメッセージである、動作を実行する、項目３３に記載の転送プレーンゲートウェイデバイス。
［項目３５］
上記中央処理装置は具体的に以下の動作：
上記ダウンリンクパケットをバッファリングする動作を実行する、項目３１から３４の何れか一項に記載の転送プレーンゲートウェイデバイス。
［項目３６］
上記中央処理装置は具体的に以下の動作：
上記制御プレーンゲートウェイが、上記端末の上記ＩＰ処理エントリを削除するための命令を上記転送プレーンゲートウェイに送信するように、上記制御プレーンゲートウェイによって送信された、上記ＩＰ処理エントリを設定するための命令が、事前設定された時間内に受信されない場合、ページングタイムアウトイベントを上記制御プレーンゲートウェイに報告する動作であって、上記ＩＰ処理エントリを設定するための上記命令は、上記端末によって送信されたページング応答メッセージに従って、上記制御プレーンゲートウェイによって対応して生成され、上記ページング応答メッセージは、上記第２のページングメッセージに従って、上記端末によって対応して生成される、動作、及び、
上記制御プレーンゲートウェイによって送信された、上記端末の上記ＩＰ処理エントリを削除するための上記命令を受信し、上記端末の上記ＩＰ処理エントリを削除するための上記命令に従って、上記端末の上記ＩＰ処理エントリを削除し、上記ダウンリンクパケットを解放する動作を実行する、項目３１から３５の何れか一項に記載の転送プレーンゲートウェイデバイス。
［項目３７］
メモリ、中央処理装置、周辺インタフェース、ＲＦ回路、電力管理チップ、及び通信バスを備える制御プレーンゲートウェイデバイスであって、
上記中央処理装置は以下の動作：
グループエントリ及びＩＰ処理エントリを転送プレーンゲートウェイに送信する動作であって、上記グループエントリは上記ＩＰ処理エントリに対応している、動作、及び
上記転送プレーンゲートウェイが、上記グループエントリ及び上記ＩＰ処理エントリに従って、第１のページングメッセージを第２のページングメッセージに変更するように、上記第１のページングメッセージを上記転送プレーンゲートウェイに送信する動作であって、上記第２のページングメッセージは、端末をページングするために使用される、動作を実行する、制御プレーンゲートウェイデバイス。
［項目３８］
上記中央処理装置は具体的に以下の動作：
上記転送プレーンゲートウェイが、上記ＩＰ処理エントリを設定するための命令に従って、上記アクションエントリを外側のトンネルカプセル化に設定し、上記ＩＰ処理エントリを、上記ダウンリンクパケットを受信する端末のアドレスと関連付けるように、上記ＩＰ処理エントリを設定するための上記命令を上記転送プレーンゲートウェイに送信する動作を実行する、項目３７に記載の制御プレーンゲートウェイデバイス。
［項目３９］
上記中央処理装置は具体的に以下の動作：
上記転送プレーンゲートウェイが、上記ＩＰ処理エントリを削除するように、上記転送プレーンゲートウェイによって送信されたページングタイムアウトイベントが受信された場合、上記ＩＰ処理エントリを削除するための命令を上記転送プレーンゲートウェイに送信する動作であって、上記ページングタイムアウトイベントは、上記ＩＰ処理エントリを設定するための命令を、事前設定された時間内に上記転送プレーンゲートウェイが受信しない場合に生成され、上記ＩＰ処理エントリを設定するための上記命令は、上記アクションエントリを外側のトンネルカプセル化に設定し、上記ＩＰ処理エントリを、上記ダウンリンクパケットを受信する端末のアドレスに関連付けるよう上記転送プレーンゲートウェイに命令すべく使用される、動作を実行する、項目３７に記載の制御プレーンゲートウェイデバイス。
［項目４０］
上記中央処理装置は具体的に以下の動作：
更新された位置エリアに位置する上記端末が、修正されたＩＰ処理エントリに対応しているグループエントリを使用することによってページングされ得るように、上記端末が現在の位置エリアから上記更新された位置エリアに移動した場合、上記更新された位置エリアに位置する上記端末に対応しているＩＰ処理エントリを修正する動作を実行する、項目３７から３９の何れか一項に記載の制御プレーンゲートウェイデバイス。
［項目４１］
上記中央処理装置は具体的に以下の動作：
上記端末のページングパラメータが変化した場合、そのページングパラメータが変化した上記端末に対応しているＩＰ処理エントリを修正し、上記ＩＰ処理エントリにバッファリングされた第１のページングメッセージを更新する動作を実行する、項目３７から３９の何れか一項に記載の制御プレーンゲートウェイデバイス。
【図１】
0006499283.tif 000012
【図２】
0006499283.tif 000013
【図３】
0006499283.tif 000014
【図４Ａ】
0006499283.tif 000015
【図４Ｂ】
0006499283.tif 000016
【図５Ａ】
0006499283.tif 000017
【図５Ｂ】
0006499283.tif 000018
【図６】
0006499283.tif 000019
【図７】
0006499283.tif 000020
【図８】
0006499283.tif 000021
【図９】
0006499283.tif 000022
【図１０】
0006499283.tif 000023
【図１１】
0006499283.tif 000024
【図１２】
0006499283.tif 000025
【図１３】
0006499283.tif 000026
【図１４】
0006499283.tif 000027
【図１５】
0006499283.tif 000028
【図１６】
0006499283.tif 000029
【図１７】
0006499283.tif 000030